(57)【要約】  ワイヤレス通信用の方法、システム、およびデバイスについて説明する。いくつかの態様では、ユーザ機器(UE)は、データ領域および制御領域を含むリソースブロックセットを識別してもよく、リソースブロックセットは短縮送信時間間隔(sTTI)内のシステム帯域幅の一部に及び、sTTIは3つのシンボルを含み、制御領域は3つのシンボルを占有してsTTIに対するUEのための制御情報を含み、制御領域およびデータ領域は周波数分割多重化される。UEは、制御情報に少なくとも部分的に基づいてsTTI内のコンテンツを取得し得る。多数の他の態様が提供される。
2020519112.tif 000002
【特許請求の範囲】
【請求項１】
ユーザ機器(UE)によって実行されるワイヤレス通信の方法であって、
データ領域および制御領域を含むリソースブロックセットを識別するステップであって、前記リソースブロックセットが短縮送信時間間隔(sTTI)内のシステム帯域幅の一部に及び、前記sTTIが3つのシンボルを含み、前記制御領域が前記3つのシンボルを占有して前記sTTIに対する前記UEのための制御情報を含み、前記制御領域および前記データ領域が周波数分割多重化される、ステップと、
前記制御情報に少なくとも部分的に基づいて前記sTTI内のコンテンツを取得するステップと
を含む、方法。
【請求項２】
前記データ領域が前記3つのシンボルを占有する、請求項1に記載の方法。
【請求項３】
前記制御領域が、ダウンリンク制御情報を含む第1の部分と、アップリンク制御情報を含む第2の部分とを含む、請求項1に記載の方法。
【請求項４】
前記第1の部分および前記第2の部分が周波数分割多重化される、請求項3に記載の方法。
【請求項５】
前記データ領域が、前記リソースブロックセット内の前記第1の部分と前記第2の部分との間に位置する、請求項3に記載の方法。
【請求項６】
前記データ領域が再割振りされたデータ領域である、請求項1に記載の方法。
【請求項７】
前記データ領域のために使用されるべき1つまたは複数のリソースが、前記制御領域内でシグナリングされる、請求項1に記載の方法。
【請求項８】
前記制御領域が、復調基準信号(DMRS)ベースの基準信号復調方式またはセル固有の基準信号(CRS)ベースの基準信号復調方式で構成される、請求項1に記載の方法。
【請求項９】
前記データ領域が、復調基準信号(DMRS)ベースの基準信号復調方式で構成される、請求項1に記載の方法。
【請求項１０】
前記3つのシンボルが、第3のシンボルの前に発生する第2のシンボルの前に発生する第1のシンボルを含み、
前記第1のシンボルまたは前記第2のシンボルのうちの少なくとも1つからの1つまたは複数の復調基準信号(DMRS)信号が、前記第3のシンボル内の情報を復調するために使用される、請求項1に記載の方法。
【請求項１１】
ワイヤレス通信のための装置であって
メモリと、
前記メモリに結合された少なくとも1つのプロセッサと
を備え、前記少なくとも1つのプロセッサが、
データ領域および制御領域を含むリソースブロックセットを識別することであって、前記リソースブロックセットが短縮送信時間間隔(sTTI)内のシステム帯域幅の一部に及び、前記sTTIが3つのシンボルを含み、前記制御領域が前記3つのシンボルを占有して前記sTTIに対する前記装置のための制御情報を含み、前記制御領域および前記データ領域が周波数分割多重化される、識別することと、
前記制御情報に少なくとも部分的に基づいて前記sTTI内のコンテンツを取得することと
を行うように構成される、装置。
【請求項１２】
前記データ領域が前記3つのシンボルを占有する、請求項11に記載の装置。
【請求項１３】
前記制御領域が、ダウンリンク制御情報を含む第1の部分と、アップリンク制御情報を含む第2の部分とを含む、請求項11に記載の装置。
【請求項１４】
前記第1の部分および前記第2の部分が周波数分割多重化される、請求項13に記載の装置。
【請求項１５】
前記データ領域が、前記リソースブロックセット内の前記第1の部分と前記第2の部分との間に位置する、請求項13に記載の装置。
【請求項１６】
前記データ領域が再割振りされたデータ領域である、請求項11に記載の装置。
【請求項１７】
前記データ領域のために使用されるべき1つまたは複数のリソースが、前記制御領域内でシグナリングされる、請求項11に記載の装置。
【請求項１８】
前記制御領域が、復調基準信号(DMRS)ベースの基準信号復調方式またはセル固有の基準信号(CRS)ベースの基準信号復調方式で構成される、請求項11に記載の装置。
【請求項１９】
前記データ領域が、復調基準信号(DMRS)ベースの基準信号復調方式で構成される、請求項11に記載の装置。
【請求項２０】
前記3つのシンボルが、第3のシンボルの前に発生する第2のシンボルの前に発生する第1のシンボルを含み、
前記第1のシンボルまたは前記第2のシンボルのうちの少なくとも1つからの1つまたは複数の復調基準信号(DMRS)信号が、前記第3のシンボル内の情報を復調するために使用される、請求項11に記載の装置。
【請求項２１】
ワイヤレス通信のためのコンピュータ実行可能なコードを記憶した非一時的コンピュータ可読記録媒体であって、
データ領域および制御領域を含むリソースブロックセットを識別することであって、前記リソースブロックセットが短縮送信時間間隔(sTTI)内のシステム帯域幅の一部に及び、前記sTTIが3つのシンボルを含み、前記制御領域が前記3つのシンボルを占有して前記sTTIに対する制御情報を含み、前記制御領域および前記データ領域が周波数分割多重化される、識別することと、
前記制御情報に少なくとも部分的に基づいて前記sTTI内のコンテンツを取得することと
を行うためのコードを含む、非一時的コンピュータ可読記録媒体。
【請求項２２】
前記データ領域が前記3つのシンボルを占有する、請求項21に記載の非一時的コンピュータ可読記録媒体。
【請求項２３】
前記制御領域が、ダウンリンク制御情報を含む第1の部分と、アップリンク制御情報を含む第2の部分とを含み、
前記第1の部分および前記第2の部分が周波数分割多重化され、
前記データ領域が、前記リソースブロックセット内の前記第1の部分と前記第2の部分との間に位置する、請求項21に記載の非一時的コンピュータ可読記録媒体。
【請求項２４】
前記制御領域が、復調基準信号(DMRS)ベースの基準信号復調方式またはセル固有の基準信号(CRS)ベースの基準信号復調方式で構成され、
前記データ領域が、DMRSベースの基準信号復調方式で構成される、請求項21に記載の非一時的コンピュータ可読記録媒体。
【請求項２５】
前記3つのシンボルが、第3のシンボルの前に発生する第2のシンボルの前に発生する第1のシンボルを含み、
前記第1のシンボルまたは前記第2のシンボルのうちの少なくとも1つからの1つまたは複数の復調基準信号(DMRS)信号が、前記第3のシンボル内の情報を復調するために使用される、請求項21に記載の非一時的コンピュータ可読記録媒体。
【請求項２６】
ワイヤレス通信のための装置であって
データ領域および制御領域を含むリソースブロックセットを識別するための手段であって、前記リソースブロックセットが短縮送信時間間隔(sTTI)内のシステム帯域幅の一部に及び、前記sTTIが3つのシンボルを含み、前記制御領域が前記3つのシンボルを占有して前記sTTIに対する前記装置のための制御情報を含み、前記制御領域および前記データ領域が周波数分割多重化される、手段と、
前記制御情報に少なくとも部分的に基づいて前記sTTI内のコンテンツを取得することを行うための手段と
を含む、装置。
【請求項２７】
前記データ領域が前記3つのシンボルを占有する、請求項26に記載の装置。
【請求項２８】
前記制御領域が、ダウンリンク制御情報を含む第1の部分と、アップリンク制御情報を含む第2の部分とを含み、
前記第1の部分および前記第2の部分が周波数分割多重化され、
前記データ領域が、前記リソースブロックセット内の前記第1の部分と前記第2の部分との間に位置する、請求項26に記載の装置。
【請求項２９】
前記制御領域が、復調基準信号(DMRS)ベースの基準信号復調方式またはセル固有の基準信号(CRS)ベースの基準信号復調方式で構成され、
前記データ領域が、DMRSベースの基準信号復調方式で構成される、請求項26に記載の装置。
【請求項３０】
前記3つのシンボルが、第3のシンボルの前に発生する第2のシンボルの前に発生する第1のシンボルを含み、
前記第1のシンボルまたは前記第2のシンボルのうちの少なくとも1つからの1つまたは複数の復調基準信号(DMRS)信号が、前記第3のシンボル内の情報を復調するために使用される、請求項26に記載の装置。
【発明の詳細な説明】
【技術分野】
【０００１】
以下は、一般に、ワイヤレス通信に関し、より詳細には、低レイテンシ通信のためのダウンリンク制御チャネル構造に関する。
【背景技術】
【０００２】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって複数のUEとの通信をサポートすることが可能であることがある。そのような多元接続システムの例としては、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システム)がある。ワイヤレス多元接続通信システムは、場合によっては、ユーザ機器(UE)として知られている場合がある、複数の通信デバイスのための通信を各々が同時にサポートする、いくつかの基地局を含んでもよい。
【０００３】
ワイヤレス多元接続技術は、異なるワイヤレスデバイスが都市、国家、地域、さらには地球規模で通信することを可能にする共通プロトコルを提供するために、様々な電気通信規格において採用されている。例示的な電気通信規格は、ロングタームエボリューション(LTE)である。LTEは、スペクトル効率を改善し、コストを下げ、サービスを改善し、新たなスペクトルを利用し、他のオープン規格とより良く統合するように設計されている。LTEは、ダウンリンク(DL)上でOFDMAを、アップリンク(UL)上でシングルキャリア周波数分割多元接続(SC-FDMA)を、また多入力多出力(MIMO)アンテナ技術を使用し得る。
【０００４】
基地局は、長さが低減される送信時間間隔(TTI)を使用して、1つまたは複数のUEに情報を送信し得る。そのようなTTIは、短縮TTI(sTTI)と呼ばれることがあり、sTTI内の情報を受信するUEは、低レイテンシUEであり得る。sTTIは、システム帯域幅にわたっていくつかのブロックに分割され得る。ブロックは、基地局によって1つまたは複数のUEに割り振られ得る。基地局は、UEに対するリソース割振りを行うためにブロックの第1の部分内の制御情報または制御メッセージを送信し得る。低レイテンシUEは、ブロック内の制御情報を復号することを試行し得る。sTTIが短くなるにつれて、制御オーバーヘッドを低減することがより一層重要になる。したがって、制御情報を効率的に伝達して、UEが制御情報を受信して復号するのに必要な処理時間の量を最小化することが望ましい。さらに、ブロックの構成は、異なるシナリオに対処するために柔軟であるべきである。
【発明の概要】
【課題を解決するための手段】
【０００５】
本開示の一態様では、方法、装置、およびコンピュータプログラム製品が提供される。
【０００６】
いくつかの態様では、方法はユーザ機器(UE)によって実行されてもよく、データ領域および制御領域を含むリソースブロックセットを識別するステップであって、リソースブロックセットは短縮送信時間間隔(sTTI)内のシステム帯域幅の一部に及び、sTTIは3つのシンボルを含み、制御領域は3つのシンボルを占有してsTTIに対するUEのための制御情報を含み、制御領域およびデータ領域は周波数分割多重化される、ステップと、制御情報に少なくとも部分的に基づいてsTTI内のコンテンツを取得するステップとを含み得る。
【０００７】
いくつかの態様では、この装置は、メモリと、メモリに結合された少なくとも1つのプロセッサとを含んでもよい。少なくとも1つのプロセッサは、データ領域および制御領域を含むリソースブロックセットを識別することであって、リソースブロックセットは短縮送信時間間隔(sTTI)内のシステム帯域幅の一部に及び、sTTIは3つのシンボルを含み、制御領域は3つのシンボルを占有してsTTIに対する装置のための制御情報を含み、制御領域およびデータ領域は周波数分割多重化される、識別することと、制御情報に少なくとも部分的に基づいてsTTI内のコンテンツを取得することとを行うように構成され得る。
【０００８】
いくつかの態様では、装置は、データ領域および制御領域を含むリソースブロックセットを識別するための手段であって、リソースブロックセットは短縮送信時間間隔(sTTI)内のシステム帯域幅の一部に及び、sTTIは3つのシンボルを含み、制御領域は3つのシンボルを占有してsTTIに対する装置のための制御情報を含み、制御領域およびデータ領域は周波数分割多重化される、手段と、制御情報に少なくとも部分的に基づいてsTTI内のコンテンツを取得するための手段とを含み得る。
【０００９】
いくつかの態様では、コンピュータプログラム製品は、コンピュータ実行可能なコードを記憶する非一時的コンピュータ可読媒体を含んでもよい。コードは、データ領域および制御領域を含むリソースブロックセットを識別するためのコードであって、リソースブロックセットは短縮送信時間間隔(sTTI)内のシステム帯域幅の一部に及び、sTTIは3つのシンボルを含み、制御領域は3つのシンボルを占有してsTTIに対する制御情報を含み、制御領域およびデータ領域は周波数分割多重化される、コードと、制御情報に少なくとも部分的に基づいてsTTI内のコンテンツを取得するためのコードとを含み得る。
【００１０】
態様は、概して、添付図面および本明細書を参照して実質的に本明細書で説明されるような、また添付図面および本明細書によって示すような、方法、装置、システム、コンピュータプログラム製品、非一時的コンピュータ可読媒体、ユーザ機器、ワイヤレス通信デバイス、基地局、および処理システムを含む。
【００１１】
上記は、以下の発明を実施するための形態がよりよく理解され得るように、本開示による例の特徴および技術的利点をかなり広範に概説している。以下で、追加の特徴および利点について説明する。開示する概念および具体例は、本開示の同じ目的を実行するために他の構造を変更または設計するための基礎として容易に利用され得る。そのような均等な構成は、添付の特許請求の範囲から逸脱しない。本明細書で開示する概念の特性、それらの編成と動作方法の両方が、関連する利点とともに、添付の図に関して検討されると以下の説明からよりよく理解されよう。図の各々は、例示および説明のために提供され、特許請求の範囲の限定の定義として提供されるものでない。
【図面の簡単な説明】
【００１２】
【図１】本開示の様々な態様による、低レイテンシ通信のためのダウンリンク制御チャネル構造をサポートするワイヤレス通信のためのシステムの一例を示す図である。
【図２】本開示の様々な態様による、低レイテンシ通信のためのダウンリンク制御チャネル構造をサポートするワイヤレス通信のためのシステムの一例を示す図である。
【図３】本開示の様々な態様による、低レイテンシ通信のためのダウンリンク制御チャネル構造に対するリソース割振り図の一例を示す図である。
【図４】本開示の様々な態様による、低レイテンシ通信のためのダウンリンク制御チャネル構造に対するリソース割振り図の一例を示す図である。
【図５Ａ】本開示の様々な態様による、低レイテンシ通信のためのダウンリンク制御チャネル構造に対するリソース割振り図の一例を示す図である。
【図５Ｂ】本開示の様々な態様による、低レイテンシ通信のためのダウンリンク制御チャネル構造に対するリソース割振り図の一例を示す図である。
【図６】本開示の様々な態様による、低レイテンシ通信のためのダウンリンク制御チャネル構造をサポートするアップリンク探索空間の一例を示す図である。
【図７】本開示の様々な態様による、低レイテンシ通信のために使用されるリソース構造の一例を示す図である。
【図８Ａ】本開示の様々な態様による、低レイテンシ通信のために使用されるリソース構造の一例を示す図である。
【図８Ｂ】本開示の様々な態様による、低レイテンシ通信のために使用されるリソース構造の一例を示す図である。
【図９】本開示の様々な態様による、低レイテンシ通信のために使用されるリソース構造の一例を示す図である。
【図１０】本開示の様々な態様による、低レイテンシ通信のために使用されるリソース構造の一例を示す図である。
【図１１】本開示の様々な態様による、低レイテンシ通信のために使用されるリソース構造の一例を示す図である。
【図１２】本開示の様々な態様による、低レイテンシ通信のために使用されるリソース構造の一例を示す図である。
【図１３】本開示の様々な態様による、低レイテンシ通信のためのダウンリンク制御チャネル構造をサポートするデバイスのブロック図である。
【図１４】本開示の様々な態様による、低レイテンシ通信のためのダウンリンク制御チャネル構造をサポートするデバイスのブロック図である。
【図１５】本開示の様々な態様による、低レイテンシ通信のためのダウンリンク制御チャネル構造をサポートするUEを含むシステムのブロック図である。
【図１６】本開示の様々な態様による、低レイテンシ通信のためのダウンリンク制御チャネル構造をサポートするデバイスのブロック図である。
【図１７】本開示の様々な態様による、低レイテンシ通信のためのダウンリンク制御チャネル構造をサポートする基地局を含むシステムのブロック図である。
【図１８】本開示の様々な態様による、低レイテンシ通信のためのダウンリンク制御チャネル構造に対する方法を示す図である。
【図１９】本開示の様々な態様による、低レイテンシ通信のためのダウンリンク制御チャネル構造に対する方法を示す図である。
【図２０】本開示の様々な態様による、低レイテンシ通信のためのダウンリンク制御チャネル構造に対する方法を示す図である。
【発明を実施するための形態】
【００１３】
低レイテンシ送信のための制御チャネルは、シグナリングオーバーヘッドを減少させて低レイテンシデータチャネルのためのリソースの利用可能性を増大させるように設計され、マッピングされ、通信され得る。低減された長さの送信時間間隔(TTI)(たとえば、短縮TTI(sTTI)を含む)を使用するデータチャネルは、制御情報の効率的な受信および復号を可能にしながら、レガシーUEとともに複数の低レイテンシUEを効率的にサポートする必要性を含む、いくつかの挑戦的課題に遭遇する場合がある。sTTIは、データのダウンリンク送信のために複数のリソース管理ブロックを含み得る。sTTI内のいくつかのリソースは、すでに、他のタイプの送信に対して割り振られている場合がある。sTTI内にスケジュールされ得るそのような非低レイテンシ送信は、低レイテンシUEによっても使用されるシステム帯域幅の一部の中の物理ダウンリンク共有チャネル(PDSCH)内のレガシーデータ送信、狭帯域モノのインターネット(NB-IOT: narrowband internet-of-things)タイプの送信、またはセル固有の基準信号(CRS)、1次同期信号(PSS)、2次同期信号(SSS)、もしくは物理ブロードキャストチャネル(PBCH)などの共通信号、または無線リソース制御(RRC)シグナリングなどのより高いレベルのシグナリングによって保有される他の信号を含み得る。
【００１４】
低レイテンシ送信と非低レイテンシ送信との間の効率的共存は、能力および送信効率を増大させ得る。制御領域は、リソース管理ブロックの始端に位置する場合があり、UEは、制御領域内で制御情報を受信して受信された制御情報を復号して、リソース管理ブロックのデータ領域がそのUEのために割り振られていると決定し得る。この制御情報の効率的な受信および復号を行うためのメカニズムが望まれる。加えて、制御領域のサイズを低減すること、またはさもなければリソース管理ブロックのデータ領域のサイズを制御領域に対して最大化すること、またはさらには、制御オーバーヘッドの影響を最小化するためにsTTIのリソース管理ブロックのうちの1つもしくは複数から制御領域のうちの1つもしくは複数を除外することが望ましい。
【００１５】
いくつかの態様では、UEは、基地局によって示されるリソース管理ブロック構成に少なくとも部分的に基づいてリソース管理ブロックを識別し得る。リソース管理ブロックは、sTTI内のシステム帯域幅の一部に及ぶ場合がある。UEは、リソース管理ブロックの自蔵式サブセット(self-contained subset)であるリソースブロックセットを識別し得る。リソースブロックセットは、sTTIに対するUEのための制御情報を含み得る。UEは、制御情報を使用して、少なくとも部分的にsTTIのデータ領域内にある、UEに宛てられたコンテンツの位置を特定し得る。
【００１６】
上で紹介された本開示の態様が、以下でワイヤレス通信システムの文脈で説明される。次いで、リソース割振り図およびリソース構造が、本開示の態様を説明するために示される。本開示の態様はさらに、低レイテンシ通信のためのダウンリンク制御チャネル構造に関する装置図、システム図、およびフローチャートによって図示され、それらを参照して説明される。
【００１７】
図1は、本開示の様々な態様によるワイヤレス通信システム100の一例を示す。ワイヤレス通信システム100は、基地局105と、UE115と、コアネットワーク130とを含む。いくつかの例では、ワイヤレス通信システム100は、LTE(または、LTEアドバンスト)ネットワークであり得る。
【００１８】
基地局105は、1つまたは複数の基地局アンテナを介してUE115とワイヤレスに通信することがある。各基地局105は、それぞれの地理的カバレッジエリア110に通信カバレッジを提供することがある。ワイヤレス通信システム100中に示されている通信リンク125は、UE115から基地局105へのUL送信、または基地局105からUE115へのDL送信を含み得る。UE115は、ワイヤレス通信システム100の全体にわたって分散されることがあり、各UE115は、固定またはモバイルであり得る。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、携帯電話、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、インターネットオブエブリシング(IoE)デバイス、マシンタイプ通信(MTC)デバイス、アプライアンス、自動車などであってよい。
【００１９】
基地局105は、コアネットワーク130と通信し、互いと通信し得る。たとえば、基地局105は、バックホールリンク132(たとえば、S1など)を通じてコアネットワーク130とインターフェースし得る。基地局105は、バックホールリンク134(たとえば、X2など)を介して、直接または間接的に(たとえば、コアネットワーク130を通じて)のいずれかで互いと通信し得る。基地局105は、UE115との通信のための無線構成およびスケジューリングを実行し得るか、または基地局コントローラ(図示せず)の制御下で動作し得る。いくつかの例では、基地局105は、マクロセル、スモールセル、ホットスポットなどであってよい。基地局105はまた、eノードB(eNB)105と呼ばれる場合がある。
【００２０】
場合によっては、基地局105およびユーザ機器(UE)115は、複数のキャリアを使用して通信し得る。アグリゲートされた各キャリアは、コンポーネントキャリア(CC)と呼ばれる。各コンポーネントキャリアは、たとえば1.4、3、5、10、15または20MHzの帯域幅を有することができる。場合によっては、CCの数は、たとえば、最大5つの20MHzキャリアに限定することができ、アグリゲートされる最大帯域幅が100MHzであることを表す。周波数分割複信(FDD)では、アグリゲートされるキャリアの数は、ダウンリンク(DL)およびアップリンク(UL)で異なってよい。ULコンポーネントキャリアの数は、DLコンポーネントキャリアの数以下であり得る。個々のコンポーネントキャリアはまた、異なる帯域幅であってよい。時分割複信(TDD)の場合、CCの数ならびに各CCの帯域幅は、通常、DLおよびULに対して同じになる。コンポーネントキャリアは、いくつかの方法で変更されてもよい。たとえば、キャリアアグリゲーション(CA)構成は、同じ動作周波数帯域内の隣接コンポーネントキャリア、すなわち帯域内隣接CAと呼ばれる、に少なくとも部分的に基づく場合がある。非隣接割振りが同様に使用されてもよく、コンポーネントキャリアは帯域内かまたは帯域間であり得る。
【００２１】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって複数のUEとの通信をサポートすることが可能であることがある。そのような多元接続システムの例には、CDMAシステム、TDMAシステム、FDMAシステム、およびOFDMAシステムが含まれる。ワイヤレス多元接続通信システムは、場合によっては、UEとして知られている場合がある、1つまたは複数の、複数の通信デバイスのための通信を各々が同時にサポートする、いくつかの基地局を含んでもよい。
【００２２】
基地局105は、低レイテンシ送信を使用して、たとえばsTTIを使用してUE115のうちの1つまたは複数と通信し得る。sTTIは、いくつかのリソース管理ブロックに分割されてもよく、それらののうちの1つまたは複数は、リソースブロックセットとも呼ばれる制御領域を含み得る。制御領域は、低レイテンシUE115に対するダウンリンクグラントを含んでもよく、たとえば、リソース管理ブロックのデータ領域を示すことは、UE115がデータを受信するためである。いくつかの態様では、基地局105は、リソース管理ブロック構成をUE115に(たとえば、RRC接続構成の間に)示し得る。リソース管理ブロック構成は、システム帯域幅の少なくとも一部に及び、1つのsTTIに割り振られる複数のリソース管理ブロックを識別し得る。UE115は、基地局105によって示されるリソース管理ブロック構成に少なくとも部分的に基づいてリソース管理ブロックを識別し得る。UE115は、リソース管理ブロックの自蔵式サブセットであるリソースブロックセット(たとえば、制御領域)を識別し得る。リソースブロックセットは、sTTI(および/または1つまたは複数の他のsTTI))に対する制御情報を含み得る。たとえば、基地局105は、リソースブロックセット内のsTTIに対する制御情報を送信し得る。UE115は、制御情報を使用して、少なくとも部分的にsTTIのデータ領域内にある、UE115に宛てられたコンテンツの位置を特定し得る。
【００２３】
いくつかの態様では、リソース管理ブロックの制御領域内で送信されるダウンリンクグラントは、ダウンリンクグラントが基地局105によって送られる(またはUE115において受信される)リソース管理ブロックと、同じTTI内の第2のリソース管理ブロックの両方に対するものであり得る。特に、ダウンリンクグラントは、ダウンリンクグラントが、リソース管理ブロックのデータ領域内でUE115によって受信されるべきデータに対するものであることに加えて、TTI内の他のリソース管理ブロックのうちの1つまたは複数のデータ領域内のデータをUE115が受信するためのものでもあることをUE115に知らせるための表示(たとえば、TTI内のリソース管理ブロックの総数より少ない数のビットからなるフィールド)を含み得る。
【００２４】
TTIの制御領域内のダウンリンクグラントに加えて、制御領域は、1つまたは複数のアップリンクグラントを含み得る。アップリンクグラントのうちの1つは、ダウンリンクグラントと同じUE115に対するものであり得る。他のアップリンクグラントは、ダウンリンクグラントとは異なるUE115に対するものであり得る。ダウンリンクグラントは、制御領域の第1の境界に対して制御領域の始端に位置してもよく、1つまたは複数のアップリンクグラントは、制御領域の第2の境界に対して制御領域の終端に位置してもよい。制御領域のサイズは、異なる可能なアグリゲーションレベルに対して、アップリンクグラントおよびダウンリンクグラントが、その制御領域内で重複することはないように、十分に大きくあり得る。たとえば、制御領域の使用されない部分は、より低いアグリゲーションレベルに対して、データ領域に再割振りされてもよい。アップリンクグラントの開始位置の表示は、制御領域のダウンリンクグラント内に与えられてもよく、それにより、そのダウンリンクグラントの終端のUE115による知識とともに、UE115は、制御領域内の再割振りされたデータ領域を識別してもよい。
【００２５】
上記のように、図1は一例として示されている。他の例が可能であり、図1に関して説明されたものとは異なってよい。
【００２６】
図2は、本開示の様々な態様による、低レイテンシ通信のためのダウンリンク制御チャネル構造に対するワイヤレス通信システム200の一例を示す。ワイヤレス通信システム200は、図1を参照して説明されるようなUE115の態様の例であり得る1つまたは複数の基地局105-aおよびUE115-aを含む。基地局105-aは、1つまたは複数の短縮物理ダウンリンク制御チャネル(sPDCCH)送信内のリソース割振りおよび他の情報をUE115-aに送信し得る。リソース割振りは、(たとえば、短縮物理ダウンリンク共有チャネル(sPDSCH)内の)ダウンリンクデータ、およびUE115-aに対する(たとえば、短縮物理アップリンク共有チャネル(sPUSCH)内の)アップリンクデータの送信に対するリソースのダウンリンクグラントとアップリンクグラントの一方または両方を含み得る。ワイヤレス通信システム200は、非低レイテンシ通信205および低レイテンシ通信210をサポートし得る。低レイテンシ通信210に対するリソースは、非低レイテンシ通信205と時分割多重化および/または周波数分割多重化され得る。
【００２７】
低レイテンシ通信に対するsTTIは、システム帯域幅のすべてまたはシステム帯域幅の一部に及び得る複数のリソース管理ブロックを有し得る。リソース管理ブロックは、周波数において同じまたは異なるサイズを有し得る。各リソース管理ブロックは、単一のUEまたは複数のUEに対して割り振られ得る。UEは、リソース管理ブロック構成に応じて、sTTIの1つの、複数のまたはすべてのリソース管理ブロックにアクセスし得る。使用されるリソース管理ブロック構造は、たとえば半静的構成に対して、(たとえば、RRC接続構成メッセージ内の)より高いレベルのシグナリングによって規定され得る。
【００２８】
リソース管理ブロックは、リソース管理ブロックに関連付けられたsPDCCHを有し得る。いくつかの態様では、sPDCCHは、制御領域またはリソースブロックセットと呼ばれることがある。sPDCCHは、リソース管理ブロック内に埋め込まれ得る(たとえば、リソース管理ブロック内に自蔵され得る)。sPDCCHは、リソース管理ブロック内のsPDCCHの早期の復号を可能にするために、リソース管理ブロックの始端に(たとえば、リソース管理ブロックの最初の1つまたは複数のシンボル内に)位置してもよい。sPDCCHは、リソース管理ブロックの帯域幅に及んでもよく、またはリソース管理ブロックの全帯域幅より小さい帯域幅を占有してもよく、追加のシグナリングが、リソース管理ブロック内のsPDCCHによって占有されるリソース要素の上に(たとえば、より高い周波数において)および/または下に(たとえば、より低い周波数において)含まれる。
【００２９】
場合によっては、sPDCCHは、低レイテンシUEに対するsPDSCHを、TTI内のいくつかの他のUE(たとえば、レガシーUE)に対するPDSCHにすでに割り振られているリソース管理ブロックに割り振り得る。TTIは、少なくとも1つのsTTIと全体的または部分的に重なる場合がある。すなわち、TTIのPDSCH割振りは、sTTIのリソース管理ブロックと全体的または部分的に重なる場合がある。TTIに対するPDCCH(たとえば、それはレガシーまたは通常PDCCHと呼ばれることがある)を用いる送信は、TTI内にPDSCHリソース割振りの表示を含む場合がある。たとえば、PDCCHによって示されるPDSCHは、周波数リソースのセットに割り振られ得る。低レイテンシUEは、sPDCCHに加えて、そのようなPDCCHをモニタする(たとえば、レガシーPDCCHを受信して復号する)ように構成され得る。したがって、低レイテンシUEは、PDCCH内の表示を受信して復号し、PDSCHリソース割振りを識別し得る。
【００３０】
低レイテンシUEは、低レイテンシUEに対するsTTIのリソース管理ブロックのsPDSCHを識別するsPDCCHも受信してもよく、リソース管理ブロックは、通常またはレガシーPDSCHリソース割振りをも含む。PDSCHに対する表示を受信した低レイテンシUEは、sTTI内のPDSCHのロケーションを決定し得る。その表示に少なくとも部分的に基づいて、低レイテンシUEは、次いで、たとえばsPDCCH内のダウンリンクグラントに少なくとも部分的に基づいて低レイテンシUEが受信したsPDCCHに関連付けられたsPDSCHが、通常またはレガシーPDSCHと周波数分割多重化されると決定し得る。したがって、sTTI内にレガシーまたは通常PDCCH内のインジケータをモニタおよび識別しているレガシーPDSCHリソース割振りが存在しても、低レイテンシUEは、sPDSCH内の低レイテンシデータを受信し得る。
【００３１】
他の場合には、UEに対するsTTI内の1つのリソース管理ブロックに対するsPDCCHは、同じUEに対するsTTI内の1つまたは複数の追加のリソース管理ブロックに対するダウンリンクグラントを含み得る。たとえば、上記で説明したように、sPDCCHは、sTTIのリソース管理ブロック内のあらかじめ規定されたロケーションにおけるsTTIブロックの第1の部分内に(たとえば、sTTIの第1のシンボル内に)存在し得る。低レイテンシUEは、各sTTIリソース管理ブロックに対する制御領域(たとえば、sPDSCH)をモニタして、リソースのダウンリンクグラントがsPDCCH内で(たとえば、サービング基地局105-aから)低レイテンシUEに送られたかどうかを決定し得る。低レイテンシUEは、sPDCCH内のアップリンクグラントとダウンリンクグラントの両方を探索し得る。いくつかの例では、低レイテンシUEに対する2段階のグラントが使用されてもよく、ここでsTTIの前の時間間隔の間に送られたメッセージング内で受信された第1の段階のグラントは、sTTIのリソース管理ブロックに関連付けられたアグリゲーションレベルを指定する。
【００３２】
上記で説明したように、sPDCCHは、sTTIのリソース管理ブロックの始端に置かれ得る。加えて、sPDCCHのダウンリンクグラントは、sPDCCHの始端に置かれ得る。各sPDCCHの同じ位置における低レイテンシUEにダウンリンクグラントを与えることによって、低レイテンシUEに対する探索空間が低減され得る。いくつかの例では、低レイテンシUEが、sPDCCH内のそのUEに対する制御メッセージ、たとえばリソースのダウンリンクグラントを探索し、そのようなダウンリンクグラントが存在することを識別することに成功した場合、低レイテンシUEは、そのリソース管理ブロックの関連するsPDSCHがその低レイテンシUEに割り振られると推測し得る。したがって、低レイテンシUEは、そのUEに割り振られたsPDSCHを効率的に識別し得る。
【００３３】
加えて、ダウンリンクグラントは、その同じ低レイテンシUEに対するsPDSCHを含むsTTIの他のリソース管理ブロックを示すために、1つまたは複数のビットを含み得る。1つまたは複数のビットは、たとえば、リソース割当て情報であり得る。1つまたは複数のビットの各々は、リソース管理ブロックが同じ低レイテンシUEに割り振られているかどうかを示し得る。たとえば、sTTIが3つのリソース管理ブロックを含む場合、1つのリソース管理ブロックのsPDSCH内のダウンリンクグラント内の2つのビットは、ダウンリンクグラントが低レイテンシUEに対するその他の3つのリソース管理ブロックのいずれかに対するものであるかどうかを示すために使用され得る。リソース管理ブロックのうちの他のものにおけるダウンリンクグラントは、他の低レイテンシUEに対するものであり、同様に、sPDCCHをダウンリンクグラントとともに含むリソース管理ブロック内のsPDSCHはその他の低レイテンシUEに対するものであり、1つまたは複数のビット(たとえば、3つのリソース管理ブロックに対する2つのビット)は、その他のリソース管理ブロックのいずれかがその他の低レイテンシUEに対するものであるかどうかを示すために使用されることを示し得る。ビットは適切に索引付けられてもよく、ビットが関連するリソース管理ブロックは、ダウンリンクグラントの1つまたは複数のビットが現れるリソース管理ブロックの位置に少なくとも部分的に基づく。低レイテンシUEは、リソース管理ブロック内のsPDCCHの固定位置内でブラインド復号を実行することのみを必要としており、ダウンリンクグラントを決定するために使用されるブラインド復号の数は、sTTI内で基地局105-a(たとえば、セル)によって構成されるリソース管理ブロックの数に制限され得ることに少なくとも部分的起因して、上述の手順は、ダウンリンクグラントを効率的に示し得る。
【００３４】
上記で説明したように、ダウンリンクグラントは、sPDCCHの始端の位置にあってもよい。場合によっては、低レイテンシUEに対する1つまたは複数のアップリンクグラントは、低レイテンシUEに対するダウンリンクグラントをすでに含むsTTIのsPDSCH内に置かれてもよく、ここでアップリンクグラントは、ダウンリンクグラントがそれに対するものである低レイテンシUEとは異なる低レイテンシUEに対するものであり得る。上記で説明したように、第1の段階のグラントは、アグリゲーションレベルを指定し得る。1つまたは複数のアップリンクグラントは、指定されたアグリゲーションレベルにおいて送られ得る。他のアグリゲーションレベルが指定される場合、アップリンクグラントは、他の指定されたアグリゲーションレベルに従って送られ得る。
【００３５】
ダウンリンクグラントをすでに含んでいるsPDCCHのアップリンクグラントは、ダウンリンクグラントと分離され得る。たとえば、ダウンリンクグラントは、sPDCCH制御領域の始端において送信され、アップリンクグラントは、sPDCCH制御領域の終端において送られ得る。本明細書で使用されるように、sPDCCH制御領域は、たとえば、sPDCCHのリソース要素は、必ずしもすべてが時間-周波数領域内で隣接しているとは限らないことを意味する仮想制御領域であってもよい。sPDCCHのダウンリンクグラントおよびアップリンクグラントは、ダウンリンクグラントおよびアップリンクグラントの探索空間が重複しないように、少なくとも部分的に分離されてもよい。sPDCCH制御領域の境界に対する固定位置においてダウンリンクグラントを与え、sPDCCH制御領域の別の境界に対する固定位置においてアップリンクグラントを与えることで、低レイテンシUEに対してブラインド復号を試行する数が低減され得る。加えて、ダウンリンクグラントは、1つまたは複数のアップリンクグラントに対する探索空間から分離されたセットまたは所定の位置において受信され得るので、UE115-aは、アップリンクグラントに対するブラインド復号プロセスが完了する前にダウンリンクグラントを復号し始めてもよい。場合によっては、ダウンリンクグラント処理およびアップリンクグラントブラインド復号は、並行して始めてもよく、UE115-aがsPDCCHを受信して処理するのに必要な時間の量が減少することによって効率が向上する。
【００３６】
sPDCCH内で送信されるべきアップリンクグラントの各々の位置は、アップリンクグラントアグリゲーションレベルに少なくとも部分的に基づいて、送信する基地局105-aによって決定され得る。上記で説明したように、基地局105-aは、アップリンクグラントアグリゲーションレベルの表示を前のグラントメッセージ内の低レイテンシUEに送信し得る。基地局105-aは、複数のアグリゲーションレベルの各々に対するアップリンクグラントロケーションを静的に規定し得る。他の例では、複数のアップリンクグラントロケーションは、特定のアグリゲーションレベルに対して規定され得る。複数のアップリンクグラントロケーションは、UE115-aに対して増加した数の潜在的アップリンクグラントロケーションが存在するので、UE115-aを受信することによる、より多数のブラインド復号試行をもたらす場合がある。
【００３７】
いくつかの例では、sPDCCH制御領域のサイズは、通常のレベルのグラントおよびアグリゲーションレベルを、様々なアグリゲーションレベルにおいてダウンリンクグラントとアップリンクグラントとが重複することなく収容するのに少なくとも十分な大きさにサイズ決定され得る。そのため、sPDCCH制御領域の一部分は使用されない場合がある。sPDCCH制御領域の使用されない部分のサイズは、特定のsPDCCHに対するアップリンクグラントの数およびアグリゲーションレベルに依存する場合がある。この使用されないsPDCCH制御領域は、sPDCCH内のアップリンクグラントの開始位置を示すsPDCCHのダウンリンクグラント内の表示(たとえば、sPDCCHレートマッチング情報フィールド)を含めることによって再利用され得る。ダウンリンクグラントを保有するUE115-aは、sPDCCHのさもなければ割り振られないこの部分をsPDSCHの追加の部分として使用するために、ダウンリンクグラントともしあればアップリンクグラントとの周りでsPDSCHデータ領域をレートマッチングしてもよい。このインジケータのサイズは、sPDCCH内でアップリンクグラントを開始するために利用可能な位置の数を与え得る。たとえば、インジケータが3つのビットを含む場合、アップリンクグラントの開始位置に対する8つの可能な位置のうちの1つが示され得る。
【００３８】
上記のように、図2は一例として提供される。他の例が可能であり、図2に関して説明されたものとは異なってよい。
【００３９】
図3は、本開示の様々な態様による、低レイテンシ通信のためのダウンリンク制御チャネル構造に対するリソース割振り図300の一例を示す。リソース割振り図300はシステム帯域幅305と、sTTI310およびsTTI315の2つのsTTIとを示す。sTTI310およびsTTI315は、図2を参照しながら説明した低レイテンシ通信210の例であり得る。この例では、各sTTIは、リソース管理ブロック320およびリソース管理ブロック325の2つのリソース管理ブロックに関連付けられる。リソース管理ブロック320および325は、必ずしもシステム帯域幅305全体に及ぶ必要はない。たとえば、sTTI310およびsTTI315それぞれの中の割り振られない領域380および割り振られない領域385は、システム帯域幅内にあり得るが、低レイテンシリソース管理ブロックとして割り振られない。
【００４０】
いくつかの例ではサブフレームの開始位置において含まれ得るPDCCH330は、そのサブフレームに関連付けられたTTIに対する基地局105によって送信され得る。レガシーまたはさもなければ通常PDCCHであり得るPDCCH330は、TTI内のリソースを割り振り得る。特に、リソース割振り図300では、PDCCH330はPDSCH360を割り振り得る。PDCCH330は、システム帯域幅305内のPDSCH360の割振りを示し、低レイテンシUEによって受信可能な制御メッセージを含み得る。いくつかの例では、PDSCH360は、1msの持続時間を有し得る。基地局105は、sTTI310のリソース管理ブロック320およびリソース管理ブロック325を低レイテンシUEであるUE Aに、sTTI315のリソース管理ブロック320を低レイテンシUEであるUE Bに、およびsTTI315のリソース管理ブロック325を低レイテンシUEであるUE Cに割り振り得る。基地局105は、sTTI310のリソース管理ブロック320制御領域内のUE Aに対するsPDSCH340にリソースを(たとえば、sPDCCH335内に第1のDLグラントを含めることによって)割り振るsPDCCH335(たとえば、制御領域またはリソースブロックセット)を含み得る。加えて、sPDCCH335は、sTTI310のリソース管理ブロック325の制御領域内のUE Aに対するsPDSCH355にリソースを(たとえば、sPDCCH335内に第2のDLグラントを含めることによって)割り振り得る。この例では、基地局105は、sPDSCH355が、周波数においてPDSCH360の上と下の両方の部分を含むように、sPDSCH355とPDSCH360とを周波数分割多重化し得る。基地局105は、PDCCH330内に、制御メッセージ、たとえばPDCCH330がPDSCH360をUE Aに割り振ったことの表示を与え得る。次いで、受信するUE Aは、PDSCH360が割振りを有することのPDCCH330内の表示をモニタして読み出してもよく、それにより、UE Aは、sPDCCH335内のダウンリンクグラントを受信した後、PDSCH360の両側のsPDSCH355のデータ領域内のデータを受信する。
【００４１】
sTTI315では、sPDCCH345は、リソース管理ブロック320内でsPDSCH350に対するリソースを割り振ってもよく、sPDCCH365は、リソース管理ブロック325内でsPDSCH370に対するリソースを割り振ってもよい。この例では、基地局105は、sPDCCH365とsPDSCH370の両方をPDSCH360と周波数分割多重化してもよく、それにより、sPDCCH365は、周波数においてPDSCH360の上と下の両方の部分を含み、sPDSCH370は、周波数においてPDSCH360の上と下の両方の部分を含む。受信するUE Cは、PDSCH360がsTTI315とともに割振りを有するとのPDCCH330内の表示をモニタして受信する。次いで、UE Cは、sPDCCH365の制御メッセージをモニタして受信し、UE CがsPDSCH370の割振りを有し、PDSCH360の両側のsPDSCH370のデータ領域内のデータを受信すると決定する。
【００４２】
同様に、sPDCCHおよび/またはsPDSCHは、リソース割振り図300に示すように、sTTI310およびsTTI315の間に送信される他の信号の周りで周波数分割多重化されてもよい。一例では、狭帯域モノのインターネット(NB-IOT)送信375は、RRCシグナリングによってsTTI310およびsTTI315の間に送られるために保有され得る。基地局105は、NB-IOT送信375周りで周波数分割多重化(またはレートマッチング)し得る。他の例では、1つまたは複数のリソース管理ブロックは、共通信号、たとえばCRS、PSS、SSSもしくはPBCH、またはRRCシグナリングなどのより高いレベルのシグナリングによって保有される他の信号のために保有され得る。
【００４３】
上記で説明したように、1つのTTI内のレガシーPDCCH内の制御メッセージは、低レイテンシUE(またはUE115)が、低レイテンシUEに割り振られた1つまたは複数のリソース管理ブロックを含むsTTI内のリソース割振りを識別するために使用することができる、PDSCHもしくはNB-IOTなどのデータ領域またはPSS、SSS、CRSもしくはPBCHなどの共通シグナリングを識別し得る。次いで、低レイテンシUEは、リソース管理ブロックのうちの1つまたは複数のデータ領域の、たとえばPDSCH内の低レイテンシデータを受信してもよく、ここでデータは、レガシーPDCCH内の制御メッセージによって識別されるデータ領域と周波数領域多重化される。
【００４４】
上記のように、図3は一例として提供される。他の例が可能であり、図3に関して説明されたものとは異なってよい。
【００４５】
図4は、本開示の様々な態様による、低レイテンシ通信のためのダウンリンク制御チャネル構造に対するリソース割振り図400の一例を示す。リソース割振り図400は、システム帯域幅405を有するsTTI410のうちの1つを含む。sTTI410は、レガシーTTI内のsTTI、または個別のTTIを表し得る。いくつかの例では、本明細書で説明する他のsTTIに当てはまる例では、sTTI410は、異なる持続時間、たとえば単一のシンボル期間、2シンボル期間、3シンボル期間、レガシーTTIに関連する単一のスロット幅などであり得る。この例では、sTTI410は、UE Aに対するリソース管理ブロック415およびリソース管理ブロック430と、UE Bに対するリソース管理ブロック420およびリソース管理ブロック425との4つのリソース管理ブロックを含む。
【００４６】
基地局105は、リソース管理ブロック415の制御領域であるsPDCCH440内に含まれるべきダウンリンクグラント435を生成し得る。sPDCCH440は、たとえば、リソース管理ブロック415の第1のシンボル期間内にあり得る。ダウンリンクグラント435は、ダウンリンクグラントを含むリソース管理ブロック415のデータ領域内のsPDSCH445に対するものであり得る。ダウンリンクグラントは、ダウンリンクグラント435の制御情報に少なくとも部分的に基づいてUE Aにおいてデータを受信するためにともに使用されるための、同じくUE Aに対するものであるリソース管理ブロック430のデータ領域内の、第2のsPDSCHであるsPDSCH450に対するものでもあり得る。いくつかの態様では、sPDCCH440(たとえば、リソース管理ブロック415の制御領域)は、リソースブロック(RB)セット475と呼ばれることがある。
【００４７】
基地局105は、リソース管理ブロック425の制御領域であるsPDCCH460内に含まれるべき第2のダウンリンクグラント455をも生成し得る。第2のダウンリンクグラント455は、リソース管理ブロック425のsPDSCH470に対するものであってもよく、同じくリソース管理ブロック420に対するsPDSCHに対するものであってもよい。いくつかの態様では、sPDCCH460(たとえば、リソース管理ブロック425の制御領域)は、リソースブロックセット480と呼ばれることがある。
【００４８】
両ダウンリンクグラントに対して、ダウンリンクグラント435およびダウンリンクグラント455の各々の中の1つまたは複数ビットは、その同じ低レイテンシUEに対するsPDSCHを含むsTTIの他のリソース管理ブロックを示すために、送信する基地局105によって生成され得る。この例では、sTTI410は、4つのリソース管理ブロックを含む。したがって、UE Aに対するダウンリンクグラント435は、ダウンリンクグラント435が、UE Aに対して他の3つのリソース管理ブロックのどれかに対するものであるかどうかを示すために3ビットを含み得る。
【００４９】
一例では、表示のビットは、ダウンリンクグラント435内のリソース割振りフィールドを構成し得るかまたはその一部であり得る。他の例では、表示のビットは、sPDCCH440などのsPDCCH内の別の位置において、または、リソース管理ブロック415などのリソース管理ブロックの制御領域内の他の場所に含まれてもよい。表示の第1のビットはリソース管理ブロック420に関連付けられてもよく、第2のビットはリソース管理ブロック425に関連付けられてもよく、第3のビットはリソース管理ブロック430に関連付けられてもよい。受信するUEであるUE AおよびUE Bは、ビットとリソース管理ブロックとの間の関係を推測し得る。たとえば、第1のビットは、表示のビットを有するダウンリンクグラントを含まないsTTI410の第1のリソース管理ブロックに関連付けられてもよく、以下同様である。sTTI410に対するリソース割振り図400に示す例では、ダウンリンクグラント435内で、表示の第3のビットは、UE Aに関する第4のリソース管理ブロック430を識別する。ダウンリンクグラント455内で、表示の第2のビットは、UE Bに関する第2のリソース管理ブロック420を識別する。
【００５０】
低レイテンシUEは、リソース管理ブロック内のsPDCCHの固定位置内でブラインド復号を実行することのみを必要としており、ダウンリンクグラントを決定するために使用されるブラインド復号の数は、sTTI内で基地局(たとえば、セル)によって構成されるリソース管理ブロックの数に制限され得ることに少なくとも部分的起因して、上述の手順は、ダウンリンクグラントを効率的に示し得る。さらに、ダウンリンクグラントの表示内のビットの最大数はまた、sTTIのリソース管理ブロックの数マイナス1に制限され得る。
【００５１】
いくつかの態様では、基地局105は、リソース管理ブロック構成をUE115に(たとえば、RRC接続構成の間に)示し得る。リソース管理ブロック構成は、システム帯域幅405の少なくとも一部に及び、sTTI410内で割り振られる、複数のリソース管理ブロック(たとえば、リソース管理ブロック415、リソース管理ブロック420、リソース管理ブロック425、リソース管理ブロック430など)を識別し得る。UE115は、基地局105によって示されるリソース管理ブロック構成に少なくとも部分的に基づいてリソース管理ブロック415を識別し得る。UE115は、リソース管理ブロック415の自蔵式サブセットであるリソースブロックセット475を識別し得る。リソースブロックセット475は、sTTI410(および/または1つまたは複数の他のsTTI))に対する制御情報を含み得る。たとえば、リソースブロックセット475は、ダウンリンクグラント435を伝達するために使用され得る。UE115は、制御情報を使用して、少なくとも部分的にsTTI410のデータ領域内にある、UE115に宛てられたコンテンツの位置を特定し得る。
【００５２】
上記のように、図4は一例として示されている。他の例が可能であり、図4に関して説明されたものとは異なってよい。
【００５３】
図5Aおよび図5Bは、本開示の様々な態様による、低レイテンシ通信のためのダウンリンク制御チャネル構造に対するリソース割振り図501および502の例を示す。
【００５４】
リソース割振り図501および502の各々は、sTTI510に対するリソース管理ブロック505を示し、ここでリソース管理ブロック505は、sPDCCH515を含む制御領域と、sPDCCH515によって示されるUE Aに対するsPDSCH525を含むデータ領域とを含む。sPDCCH515は、sPDCCH335、sPDCCH345、sPDCCH365、sPDCCH440およびsPDCCH460のうちの1つまたは複数の態様であり得るかまたはそれらを含み得る。sPDCCH515は、UE Aに対する少なくとも1つのダウンリンクグラント520を含む。sPDCCH515のいくつかの例は、UE Aに対するアップリンクグラントを同様に含み得る、1つまたは複数のUEに対する1つまたは複数のアップリンクグラントを含み得る。リソース割振り図501および502の例は、UE Aに対するアップリンクグラント530と、UE Bに対するアップリンクグラント535と、UE Cに対するアップリンクグラント540とを含む。いくつかの態様では、sPDCCH515(たとえば、リソース管理ブロック425の制御領域)は、リソースブロックセット550と呼ばれることがある。
【００５５】
リソース割振り図501および502に示すように、ダウンリンクグラント520は、制御領域sPDCCH515の始端において、sPDCCH515の制御領域の第1の境界の位置において存在し得る。アップリンクグラントは、制御領域sPDCCH515の終端に集められ得る。アップリンクグラントは、UE Aに対する複数の異なるアグリゲーションレベルのうちの1つに従ってリソース管理ブロック505のsPDCCH515内で基地局105によって送信され得る。いくつかの例では、UE Aに対するアグリゲーションレベルは、基地局105から前に送信されたグラント内に示されている場合がある。たとえば、前の送信(たとえば、前に受信されたTTI内のPDCCHなど、前のsTTIまたはTTI)内の第1のグラントがUE Aに対するアグリゲーションレベルを含んでもよく、第2のグラントがダウンリンクグラント520であってもよいように、2段階のグラント構成が使用され得る。アップリンクグラント530、アップリンクグラント535およびアップリンクグラント540はsPDCCH515の終端にあってもよく、sPDCCH515の終端にあるUE Aに対するアップリンクグラント530が、sPDCCH515制御領域の終端でかつ第2の境界の位置に配置される。アップリンクグラント535およびアップリンクグラント540の各々は、UE Aに対するアップリンクグラント530に隣接する位置にあってもよい。UE Aに対して示され得る任意のアグリゲーションレベルに対して、ダウンリンクグラント520がsPDCCH515の始端にありかつアップリンクグラントがsPDCCH515の終端に置かれるならば、ダウンリンクグラント520と複数のアップリンクグラントとが重複しないように、sPDCCH515のサイズは十分に大きくてもよい。
【００５６】
sPDCCH515の始端におけるダウンリンクグラントとsPDCCH515の終端におけるアップリンクグラントとの構成は、UEに対するブラインド復号試行の数を低減し得る。たとえば、UEに対する1つのダウンリンクグラントは、sPDCCH515の始端にあり得る。sPDCCHの始端において試行されるブラインド復号が成功しないならば、UEは、sPDSCH525がそのUEに対するものではないことを知る。
【００５７】
リソース割振り図502に示すように、sPDCCH515に対する制御領域の一部(たとえば、RBセット550の一部)は、sPDSCH525に対するデータ領域の一部となるように再割振りされてもよく、使用されない制御オーバーヘッドがsPDCCH515から取り戻される。したがって、再割振りされるsPDSCH545は、ダウンリンクグラント520-aとアップリンクグラント、特にUE Bに対するアップリンクグラント535-aとの間のsPDCCH515-aの一部から再割振りされ得る。再割振りされたsPDSCH545のサイズは、部分的に、アグリゲーションレベルによって決まる。再割振りされたsPDSCH545のために使用されるべきsPDCCH515-aのリソースは、ダウンリンクグラント520-aの中でシグナリングされ得る。特に、表示は、sPDCCH515-aに対するアップリンクグラント530-a、アップリンクグラント535-aおよびアップリンクグラント540-aを含み得る、アップリンクグラント領域の開始位置を識別し得る。いくつかの例では、表示は、以下でさらに説明するように、レートマッチング情報フィールドであり得る。
【００５８】
いくつかの態様では、基地局105は、リソース管理ブロック構成をUE115に示し得る。リソース管理ブロック構成は、システム帯域幅の少なくとも一部に及び、sTTI510内で割り振られる複数のリソース管理ブロックを識別し得る。UE115は、基地局105によって示されるリソース管理ブロック構成に少なくとも部分的に基づいて、複数のリソース管理ブロックのうちのリソース管理ブロック505を識別し得る。UE115は、リソース管理ブロック505の自蔵式サブセットであるリソースブロックセット550を識別し得る。リソースブロックセット550は、sTTI510(および/または1つまたは複数の他のsTTI))に対する制御情報を伝達するために使用され得る。たとえば、リソースブロックセット550は、1つまたは複数のダウンリンクグラント520、1つまたは複数のアップリンクグラント530、535、540などを伝達するために使用され得る。いくつかの態様では、リソースブロックセット550の一部は、再割振りされたsPDSCH545として示すデータ領域に再割振りされてもよく、それにより制御オーバーヘッドが低減される。
【００５９】
上記のように、図5Aおよび図5Bは、例として示されている。他の例が可能であり、図5Aおよび図5Bに関して説明したものとは異なってよい。
【００６０】
図6は、本開示の様々な態様による、低レイテンシ通信のためのダウンリンク制御チャネル構造に対するアップリンク探索空間600の一例を示す。sPDCCHアップリンク探索空間600は、sPDCCH335、sPDCCH345、sPDCCH365、sPDCCH440、sPDCCH460およびsPDCCH515のうちの1つまたは複数の態様であり得るかまたはそれらを含み得るsPDCCHに対するアップリンク探索空間を表し得る。アップリンク探索空間600は、第1のアグリゲーションレベル610、第2のアグリゲーションレベル615、第3のアグリゲーションレベル620および第4のアグリゲーションレベル625を含む、4つのゲーションレベルに対して示されている。上記で説明したように、アップリンクグラントは、sPDCCH制御領域の境界605(たとえば、終端)に置かれ得る。UE Aに対するアップリンクグラントは第1のアグリゲーションレベル610において送信されてもよく、UE Bに対するアップリンクグラントは第2のアグリゲーションレベル615において送信されてもよく、UE Cに対するアップリンクグラントは第3のアグリゲーションレベル620において送信されてもよい。
【００６１】
上記で説明したように、表示は、UE Aに対するアップリンクグラント645、UE Bに対するアップリンクグラント655およびUE Cに対するアップリンクグラント645を含み得る、アップリンクグラント領域の開始位置を識別し得る。表示は、ダウンリンクグラント内のレートマッチング情報フィールド、たとえば第2のアグリゲーションレベル615において送信されるUE Bに対するダウンリンクグラント690であり得る。アップリンク探索空間600に示すように、表示は、8つの異なる位置695のうちの1つを識別するために3ビットであり得る。この例では、UE Bに対するダウンリンクグラント690は第2のアグリゲーションレベル615において送信され、アップリンクグラント領域の開始位置が位置695のうちの「5」の位置にあることを示すために、「5」の表示を含む。そのダウンリンクグラント690を受信したUE Bは、次いで、PDCCH制御領域の領域685が、UE Bに対するダウンリンクグラント690の終端と位置695のうちの「5」の位置との間にあることを理解し得る。
【００６２】
他の実装形態では、アップリンクグラントの開始位置に対するより大きいまたはより小さい数の位置が、ダウンリンクグラント内で示され得る。位置695のより大きい数が、1つまたは複数のビットを加えることによって、たとえばレートマッチング情報フィールドのサイズを4ビット以上に増加させることによって示され得る。位置695の数を増加させることで、スケジューリングの柔軟性が増加する場合があるが、同時に、オーバーヘッド、UE受信機がアップリンクグラントを探索するためのブラインド復号試行の数、が増加する場合がある。同様に、位置695のより小さい数(たとえば、ダウンリンクグラント内の2ビットを使用する4つの位置)が示されてもよく、柔軟性が減少するが、同時に、オーバーヘッドおよびUE受信機に対するブラインド復号試行の数が減少する。
【００６３】
上記のように、図6は一例として提供される。他の例が可能であり、図6に関して説明されたものとは異なってよい。
【００６４】
図7は、本開示の様々な態様による、低レイテンシ通信のために使用される例示的リソース構造700を示す。リソース構造700は、本明細書で説明するリソースの様々なグループの図を提供する。リソース構造700は、いくつかのワイヤレス通信システム(たとえば、LTEシステム)内のTTIを表し得るサブフレーム705を含む。サブフレーム705は、他のワイヤレス通信システム(たとえば、低レイテンシシステム)内のTTIを表し得る複数のsTTI710を含み得る。
【００６５】
sTTI710はそれぞれ、複数のシンボル(たとえば、2または3シンボル)を含んでもよく、各sTTI710は自蔵されてもよい。すなわち、各sTTI710は、sTTI710の間の低レイテンシデータの送信(たとえば、アップリンクまたはダウンリンク低レイテンシ通信)をスケジュールする制御領域を含み得る。さらに、各sTTI710は、sTTI710の制御領域内のダウンリンク制御情報(DCI)の送信のために利用可能なリソース要素の数を示すインデックスに関連付けられ得る。たとえば、サブフレーム705内の第3のsTTI710は、2のインデックスに関連付けられてもよく、第3のsTTI710内の他のシグナリング(たとえば、CRS送信)のために使用されるリソース要素の数は、sTTIインデックスに少なくとも部分的に基づいて決定されてもよい。
【００６６】
sTTI710の制御領域は、sPDCCHおよび/またはリソースブロックセットと呼ばれることがあり、本明細書で説明するリソースの効率的使用をサポートするように構築され得る。図示のように、sTTI710のシンボル715は、システム帯域幅の一部に及ぶ複数の(すなわち、2つの)短縮制御チャネル要素(sCCE)720を含む。sCCE720は、sTTI710の間に通信のための制御情報を提供するために使用されるDCIを含む。基地局105は、複数のsCCE720(図示のとおり)の間にDCIを送信してもよく、ここでDCIの送信のために使用されるsCCE720の数は、DCIの送信のために基地局によって使用されるアグリゲーションレベルを表す。図7の例では、基地局は、sTTI710の間のUE115への制御送信に対する2のアグリゲーションレベル(すなわち、2つのsCCE720)を利用し得る。他の例では、基地局は、sTTI710の間のUE115への制御送信に対して、1のアグリゲーションレベル(すなわち、1つのsCCE720)、4のアグリゲーションレベル(すなわち、4つのsCCE720)などを利用し得る。
【００６７】
各sCCE720は、固定数のsREG725(たとえば、4)を含んでもよく、または可変数のsREG725(図示せず)を含んでもよい。各sREG725は、シンボル715内に12個のリソース要素730を含み得る1つのリソースブロックを含み得る。上記で説明したように、場合によっては、sREG725内のいくつかのリソース要素730は、セル固有の基準信号(CRS)シグナリング、復調基準信号(DMRS)シグナリング、チャネル状態情報基準信号(CSI-RS)シグナリングなど、他のシグナリングのために使用され得る。
【００６８】
リソースブロックセット735は、1つまたは複数のsCCE720を含み得る。いくつかの態様では、リソースブロックセット735内に含まれるsCCE720の数は、(たとえば、RRC接続構成メッセージ内の)上位レイヤシグナリングを使用して基地局105によってUE115にシグナリングされ得る。追加または代替として、そのようなシグナリングは、sCCE720のマッピングをsREG725に示し得る。いくつかの態様では、マッピングは、sCCE720内に含まれるsREG725の隣接(たとえば、局在)グループを示し得る。いくつかの態様では、マッピングは、sCCE720内に含まれるsREG725の非隣接(たとえば、分散)グループを示し得る。いくつかの態様では、リソースブロックセットがDMRSベースの基準信号復調方式で構成されるとき、マッピングは隣接してもよい。いくつかの態様では、リソースブロックセットがCRSベースの基準信号復調方式で構成されるとき、マッピングは隣接しても、または隣接しなくてもよい。
【００６９】
いくつかの態様では、UE115は、UE115に特定のUE固有のsTTI探索空間を含む単一のリソースブロックセット735で構成され得る。いくつかの態様では、UE115は、UE115に特定のUE固有のsTTI探索空間を含む複数のリソースブロックセット735(たとえば、2つのリソースブロックセット735、3つ以上のリソースブロックセット735など)で構成され得る。
【００７０】
リソースブロックセット735は、1つのリソース管理ブロック内で自蔵され得る。すなわち、リソースブロックセット735は、sTTIの間にリソース管理ブロック内に埋め込まれてもよく、および/またはリソース管理ブロックおよびsTTIに対する制御情報を含んでもよい。いくつかの態様では、リソースブロックセット735は、リソースブロックセット735が埋め込まれるリソース管理ブロック以外の別のリソース管理ブロックに対する制御情報を含んでもよく、それにより制御オーバーヘッドが低減される。追加または代替として、リソースブロックセット735は、リソースブロックセット735がその間に送信または受信されるsTTI以外の別のsTTIに対する制御情報を含んでもよく、それにより制御オーバーヘッドがさらに低減される。
【００７１】
上記のように、図7は一例として示されている。他の例が可能であり、図7に関して説明されたものとは異なってよい。
【００７２】
図8Aおよび図8Bは、本開示の様々な態様による、低レイテンシ通信のために使用される例示的リソース構造800を示す。
【００７３】
図8Aに示すように、いくつかの態様では、リソース管理ブロックは、隣接(たとえば、局在)リソースブロックグループ(RBG)のセットを含み得る。図8Bに示すように、いくつかの態様では、リソース管理ブロックは、非隣接(たとえば、分散)リソースブロックグループのセットを含み得る。いくつかの態様では、基地局105は、リソース管理ブロックが隣接リソースブロックグループを含むかまたは非隣接リソースブロックグループを含むかを、リソース管理ブロック構成内でUE115に示し得る。例示的リソース構造800では、システム帯域幅は10MHzであり、リソースブロックグループは3つのリソースブロックを含み、リソース管理ブロック構成は、第1のリソース管理ブロック805、第2のリソース管理ブロック810および第3のリソース管理ブロック815として示す3つのリソース管理ブロックを示す。
【００７４】
図8Aに示すように、第1のリソース管理ブロック805は第1のRBGのセット820を含んでもよく、第2のリソース管理ブロック810は第2のRBGのセット825を含んでもよく、第3のリソース管理ブロック815は第3のRBGのセット830を含んでもよい。いくつかの態様では、RBGのセット内に含まれるRBGの数は、リソース管理ブロック構成に少なくとも部分的に基づいて構成可能であり得る。たとえば、第1のRBGのセット820は6つのRBG(たとえば、18個のRB)を含むとして示され、第2のRBGのセット825は6つのRBG(たとえば、18個のRB)を含むとして示され、第3のRBGのセット830は5つのRBG(たとえば、15個のRB)を含むとして示される。いくつかの態様では、リソース管理ブロックは、少なくとも1つのリソースブロックセットを含む。
【００７５】
図8Bに示すように、リソース管理ブロック835は、リソース管理ブロック835が非隣接RBGのセットを含むとき、仮想リソース管理ブロックと呼ばれることがある。図8Aおよび図8Bに示すリソース管理ブロックは、ダウンリンクリソース管理ブロックまたはアップリンクリソース管理ブロックであってもよく、上位レイヤシグナリングによって(たとえば、RRC接続手順の間に)規定されてもよい。いくつかの態様では、リソース管理ブロックはセル固有であり得る。このようにして、リソース管理ブロック構成は、セル内に位置するUE115の間で共有されてもよく、それによりシグナリングが低減され、ネットワークリソースが節約される。
【００７６】
上記のように、図8Aおよび図8Bは、例として示されている。他の例が可能であり、図8Aおよび図8Bに関して説明したものとは異なってよい。
【００７７】
図9は、本開示の様々な態様による、低レイテンシ通信のために使用される例示的リソース構造900を示す。図9に示すように、リソース管理ブロック905は、少なくとも1つのRBセット910を含み得る。図9に示すリソース管理ブロック905は、図8Bに示す仮想リソース管理ブロック835に対応する。しかしながら、いくつかの態様では、リソース管理ブロック905は、図8Aに示すリソースブロックのうちの1つまたは複数に対応してもよい。
【００７８】
いくつかの態様では、RBセット910は、リソース管理ブロック905のサブセットであり得る。このようにして、リソース管理ブロック905の制御領域(たとえば、sPDCCH)は、リソース管理ブロック905内で自蔵され得る。たとえば、RBセット910は、RBG915として示す、リソース管理ブロック905内に含まれるRBGのサブセットを含み得る。いくつかの態様では、リソース管理ブロック905の1つまたは複数のRBGは、RBセット910内に含まれず、RBG920として示される。いくつかの態様では、1つまたは複数のRBG920は、リソース管理ブロック905のデータ領域のために使用されてもよく、および/またはリソース管理ブロック905の別のRBセットのために使用されてもよい。いくつかの態様では、本明細書のどこかで説明するように、RBセット910内の制御情報のために使用されるsCCE(および/または対応するRBG、REGなど)と、制御情報のために使用されないsCCE(および/または対応するRBG、REGなど)とがデータ領域(たとえば、sPDSCH)に再割振りされ得ると決定するために、レートマッチングが実行され得る。
【００７９】
いくつかの態様では、RBセットはセル固有である。追加または代替として、RBセットのために使用されるシンボルの数はセル固有のであり得る。このようにして、リソース管理ブロック構成(たとえば、RBセットの構成)は、セル内に位置するUE115の間で共有されてもよく、それによりシグナリングが低減され、ネットワークリソースが節約される。
【００８０】
いくつかの態様では、RBセットは、DMRSベースの基準信号復調方式で構成される。いくつかの態様では、RBセットは、CRSベースの基準信号復調方式で構成される。いくつかの態様では、異なるタイプの基準信号復調方式で構成される複数のRBセットは異なる場合がある。たとえば、第1の基準信号復調方式で構成される第1のRBセットは、第2の基準信号復調方式で構成される第2のRBセットと少なくとも部分的に重複する場合がある(たとえば、部分的に重複するかまたは完全に重複する場合がある)。いくつかの態様では、第1の基準信号復調方式で構成される第1のRBセットは、第2の基準信号復調方式で構成される第2のRBセットと重複しない場合がある。いくつかの態様では、DMRSベースの基準信号復調方式で構成されるRBセットは、隣接する(たとえば、局在する)RBGのセットであってもよい。いくつかの態様では、CRSベースの基準信号復調方式で構成されるRBセットは、隣接しない(たとえば、分散する)REGのセットであってもよい。いくつかの態様では、リソース管理ブロック内のCRSベースのsPDCCHのすべては、同等のRBセットを有し得る。いくつかの態様では、リソース管理ブロック内のDMRSベースのsPDCCHのすべては、同等のRBセットを有し得る。
【００８１】
いくつかの態様では、CRS通信は、マルチキャストブロードキャスト単一周波数通信用に構成されるサブフレーム内で無効にされる場合があり、これらのサブフレーム内の制御領域およびデータ領域の復調は、DMRSベースの基準信号復調方式に少なくとも部分的に基づく場合がある。このようにして、制御オーバーヘッドが低減される場合がある。
【００８２】
上記のように、図9は一例として示されている。他の例が可能であり、図9に関して説明されたものとは異なってよい。
【００８３】
図10は、本開示の様々な態様による、低レイテンシ通信のために使用される例示的リソース構造1000を示す。図10に示すように、いくつかの態様では、sTTI1005は、第1のシンボル1010、第2のシンボル1015および第3のシンボル1020として示す3つのシンボルを含み得る。この場合、第3のシンボル1020内で受信される情報は、リソース管理ブロック構成内で示され得る復調ルールに従って復調され得る。さらに示すように、RBセット1025は、図5Aおよび図5BのRBセット550に関して上記で説明したように、ダウンリンク制御情報1035を含む第1の部分1030、アップリンク制御情報1045を含む第2の部分1040、および再割振りされたsPDSCH部分1050を含み得る。例示的リソース構造1000では、第1の部分1030、第2の部分1040および再割振りされたsPDSCH部分1050の各々は、sTTI1005の3つのシンボルを占有する。
【００８４】
図10の例では、RBセット1025の制御領域は、DMRSベースの基準信号復調方式またはCRSベースの基準信号復調方式で構成されてもよく、sTTI1005のデータ領域は、DMRSベースの基準信号復調方式で構成されてもよい。この場合、第1の2つのシンボル(たとえば、第1のシンボル1010および/または第2のシンボル1015)からの1つまたは複数のDMRS信号は、第3のシンボル1020および/またはsTTI1005のデータ領域の中のデータを(たとえば、復調ルールによって示されるように)復調するために使用され得る。第1の部分1030、第2の部分1040および再割振りされたsPDSCH1050を周波数分割多重化することによって、複雑さが低減され得る。
【００８５】
上記のように、図10は一例として示されている。他の例が可能であり、図10に関して説明されたものとは異なってよい。
【００８６】
図11は、本開示の様々な態様による、低レイテンシ通信のために使用される例示的リソース構造1100を示す。図11に示すように、いくつかの態様では、sTTI1105は、第1のシンボル1110、第2のシンボル1115および第3のシンボル1120として示す3つのシンボルを含み得る。この場合、第3のシンボル1120内で受信される情報は、リソース管理ブロック構成内で示され得る復調ルールに従って復調され得る。さらに示すように、RBセット1125は、ダウンリンク制御情報1135および再割振りされたsPDSCH部分1140を(たとえば、第1のシンボル1110、第2のシンボル1115および第3のシンボル1120の中に)含む第1の部分1130と、アップリンク制御情報1150および再割振りされたsPDSCH部分1140を(たとえば、第1のシンボル1110、第2のシンボル1115および第3のシンボル1120の中に)含む第2の部分1145とを含んでもよい。例示的リソース構造1100では、第1の部分1130および第2の部分1145の各々は、sTTI1105の3つのシンボルを占有する。
【００８７】
図11の例では、RBセット1125の制御領域は、DMRSベースの基準信号復調方式で構成されてもよく、sTTI1105のデータ領域は、DMRSベースの基準信号復調方式で構成されてもよい。この場合、第1の2つのシンボル(たとえば、第1のシンボル1110および/または第2のシンボル1115)からの1つまたは複数のCRS信号は、第3のシンボル1120および/またはsTTI1105のデータ領域を(たとえば、復調ルールによって示されるように)復調するために使用され得る。代替的に、前のsTTI1105からのDMRS信号が、第3のシンボル1120および/またはデータ領域内のデータを(たとえば、開ループプリコーディングを使用して)復調するために使用されてもよい。
【００８８】
上記のように、図11は一例として示されている。他の例が可能であり、図11に関して説明されたものとは異なってよい。
【００８９】
図12は、本開示の様々な態様による、低レイテンシ通信のために使用される例示的リソース構造1200を示す。図12に示すように、いくつかの態様では、sTTI1205は、第1のシンボル1210、第2のシンボル1215および第3のシンボル1220として示す3つのシンボルを含み得る。この場合、第3のシンボル1220内で受信される情報は、リソース管理ブロック構成内で示され得る復調ルールに従って復調され得る。さらに示すように、RBセット内のRB1225は、sTTI1205内に割り振られ得る。
【００９０】
図12の例では、RBセットの制御領域は、CRSベースの基準信号復調方式で構成されてもよく、sTTI1205のデータ領域は、DMRSベースの基準信号復調方式で構成されてもよい。この場合、UEは、ブラインド復号を使用して、第3のシンボル1220および/またはsTTIのデータ領域内のデータを復調するために使用されるべきDMRS信号を識別し得る。
【００９１】
上記のように、図11は一例として示されている。他の例が可能であり、図11に関して説明されたものとは異なってよい。
【００９２】
図13は、本開示の様々な態様による、低レイテンシ通信のためのダウンリンク制御チャネル構造をサポートするワイヤレスデバイス1305のブロック図1300を示す。ワイヤレスデバイス1305は、図1を参照して説明されるようなユーザ機器(UE)115の態様の一例であってよい。ワイヤレスデバイス1305は、受信機1310、UEダウンリンク(DL)制御マネージャ1315、および送信機1320を含み得る。ワイヤレスデバイス1305はまた、プロセッサを含み得る。これらの構成要素の各々は、(たとえば、1つまたは複数のバスを介して)互いに通信していてもよい。
【００９３】
受信機1310は、パケット、ユーザデータ、または様々な情報チャネルに関連付けられた制御情報(たとえば、制御チャネル、データチャネル、および低レイテンシ通信のためのダウンリンク制御チャネル構造に関する情報など)などの情報を受信し得る。情報は、ワイヤレスデバイス1305の他の構成要素に伝えられてよい。受信機1310は、図15を参照しながら説明するトランシーバ1535の態様の一例であってよい。
【００９４】
UE DL制御マネージャ1315は、図15を参照しながら説明するUE DL制御マネージャ1515の態様の一例であり得る。
【００９５】
UE DL制御マネージャ1315は、基地局によって示されるリソース管理ブロック構成に少なくとも部分的に基づいてリソース管理ブロックを識別してもよく、リソース管理ブロックは、sTTI内のシステム帯域幅の一部に及ぶ。UE DL制御マネージャ1315は、リソース管理ブロックの自蔵式サブセットであるリソースブロックセットを識別してもよく、リソースブロックセットは、sTTIに対するUEのための制御情報を有する制御領域を含む。UE DL制御マネージャ1315は、制御情報を使用して、少なくとも部分的にsTTIのデータ領域内にある、ワイヤレスデバイス1305に宛てられたコンテンツの位置を特定し得る。
【００９６】
送信機1320は、デバイスの他の構成要素によって生成された信号を送信してもよい。いくつかの例では、送信機1320は、トランシーバモジュールにおいて受信機1310と併置されてよい。たとえば、送信機1320は、図15を参照して説明されるトランシーバ1535の態様の例であってもよい。送信機1320は、単一のアンテナを含み得るか、またはアンテナのセットを含み得る。
【００９７】
上記のように、図13は一例として示されている。他の例が可能であり、図13に関して説明されたものとは異なってよい。
【００９８】
図14は、本開示の様々な態様による、低レイテンシ通信のためのダウンリンク制御チャネル構造をサポートするワイヤレスデバイス1405のブロック図1400を示す。ワイヤレスデバイス1405は、図1および図13を参照して説明されるようなワイヤレスデバイス1305またはUE115の態様の一例であってもよい。ワイヤレスデバイス1405は、受信機1410と、UE DL制御マネージャ1415と、送信機1420とを含み得る。ワイヤレスデバイス1405はまた、プロセッサを含み得る。これらの構成要素の各々は、(たとえば、1つまたは複数のバスを介して)互いに通信していてもよい。
【００９９】
受信機1410は、パケット、ユーザデータ、または様々な情報チャネルに関連付けられた制御情報(たとえば、制御チャネル、データチャネル、および低レイテンシ通信のためのダウンリンク制御チャネル構造に関する情報など)などの情報を受信し得る。情報は、デバイスの他の構成要素に渡されてもよい。受信機1410は、図15を参照しながら説明するトランシーバ1535の態様の一例であってよい。
【０１００】
UE DL制御マネージャ1415は、図15を参照しながら説明するUE DL制御マネージャ1515の態様の一例であり得る。UE DL制御マネージャ1415はまた、リソース管理ブロック(RMB)識別構成要素1425と、RBセット識別構成要素1430と、制御情報使用構成要素1435とを含み得る。RMB識別構成要素1425は、基地局によって示されるリソース管理ブロック構成に少なくとも部分的に基づいてリソース管理ブロックを識別してもよく、リソース管理ブロックは、sTTI内のシステム帯域幅の一部に及ぶ。RBセット識別構成要素1430は、リソース管理ブロックの自蔵式サブセットであるリソースブロックセットを識別してもよく、リソースブロックセットは、sTTIに対するUEのための制御情報を有する制御領域を含む。制御情報使用構成要素1435は、制御情報を使用して、少なくとも部分的にsTTIのデータ領域内にある、ワイヤレスデバイス1405に宛てられたコンテンツの位置を特定し得る。
【０１０１】
送信機1420は、デバイスの他の構成要素によって生成された信号を送信してもよい。いくつかの例では、送信機1420は、トランシーバモジュールにおいて受信機1410と併置されてよい。たとえば、送信機1420は、図15を参照して説明されるトランシーバ1535の態様の例であってもよい。送信機1420は、単一のアンテナを含み得るか、またはアンテナのセットを含み得る。
【０１０２】
上記のように、図14は一例として示されている。他の例が可能であり、図14に関して説明されたものとは異なってよい。
【０１０３】
図15は、本開示の様々な態様による、低レイテンシ通信のためのダウンリンク制御チャネル構造をサポートするデバイス1505を含むシステム1500の図を示す。デバイス1505は、たとえば、図1、図13、および図14を参照して上で説明されたような、ワイヤレスデバイス1305、ワイヤレスデバイス1405、またはUE115の構成要素の例であり得るか、またはそれらを含み得る。デバイス1505は、通信を送信および受信するための構成要素を含む、双方向音声およびデータ通信のための構成要素を含み得、これらの構成要素は、UE DL制御マネージャ1515、プロセッサ1520、メモリ1525、ソフトウェア1530、トランシーバ1535、アンテナ1540、およびI/Oコントローラ1545を含む。これらの構成要素は、1つまたは複数のバス(たとえば、バス1510)を介して電子通信していてもよい。デバイス1505は、1つまたは複数の基地局105とワイヤレスに通信することができる。
【０１０４】
プロセッサ1520は、インテリジェントハードウェアデバイス(たとえば、汎用プロセッサ、デジタル信号プロセッサ(DSP)、中央処理ユニット(CPU)、マイクロコントローラ、特定用途向け集積回路(ASIC)、フィールドプログラマブルゲートアレイ(FPGA)、プログラマブル論理デバイス、個別ゲートまたはトランジスタ論理構成要素、個別ハードウェア構成要素、あるいはそれらの任意の組合せ)を含み得る。いくつかの場合、プロセッサ1520は、メモリコントローラを使用してメモリアレイを動作させるように構成され得る。他の場合には、メモリコントローラはプロセッサ1520に統合されてもよい。プロセッサ1520は、様々な機能(たとえば、低レイテンシ通信のためのダウンリンク制御チャネル構造をサポートする機能またはタスク)を実行するためにメモリに記憶されたコンピュータ可読命令を実行するように構成され得る。
【０１０５】
メモリ1525は、ランダムアクセスメモリ(RAM)および読取り専用メモリ(ROM)を含んでもよい。メモリ1525は、実行されると、本明細書で説明する様々な機能をプロセッサに実行させる命令を含む、コンピュータ可読コンピュータ実行可能ソフトウェア1530を記憶し得る。いくつかの場合、メモリ1525は、特に、周辺構成要素またはデバイスとの相互作用などの、基本的なハードウェアおよび/またはソフトウェア動作を制御し得る基本入出力システム(BIOS)を含み得る。
【０１０６】
ソフトウェア1530は、低レイテンシ通信のためのダウンリンク制御チャネル構造をサポートするためのコードを含む、本開示の態様を実装するためのコードを含み得る。ソフトウェア1530は、システムメモリまたは他のメモリなどの、非一時的コンピュータ可読媒体の中に記憶され得る。いくつかの場合には、ソフトウェア1530は、プロセッサによって直接実行可能ではないことがあるが、(たとえば、コンパイルされ、実行されると)本明細書で説明する機能をコンピュータに実行させることがある。
【０１０７】
トランシーバ1535は、上で説明されたように、1つまたは複数のアンテナ、有線リンク、またはワイヤレスリンクを介して双方向に通信し得る。たとえば、トランシーバ1535は、ワイヤレストランシーバを表すことがあり、別のワイヤレストランシーバと双方向に通信し得る。トランシーバ1535はまた、パケットを変調し、変調されたパケットを送信のためにアンテナに提供し、アンテナから受信されたパケットを復調するためのモデムを含み得る。
【０１０８】
場合によっては、ワイヤレスデバイスは単一のアンテナ1540を含んでよい。しかしながら、場合によっては、デバイスは、複数のワイヤレス送信を同時に送信または受信することが可能であり得る2つ以上のアンテナ1540を有してよい。
【０１０９】
I/Oコントローラ1545は、デバイス1505のための入力および出力信号を管理してもよい。I/Oコントローラ1545はまた、デバイス1505に統合されていない周辺装置を管理し得る。場合によっては、I/Oコントローラ1545は、外部周辺機器への物理的接続またはポートを表してもよい。いくつかの場合には、I/Oコントローラ1545は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。
【０１１０】
上記のように、図15は一例として示されている。他の例が可能であり、図15に関して説明されたものとは異なってよい。
【０１１１】
図16は、本開示の様々な態様による、低レイテンシ通信のためのダウンリンク制御チャネル構造をサポートするワイヤレスデバイス1605のブロック図1600を示す。ワイヤレスデバイス1605は、図1を参照して説明されるような基地局105の態様の一例であってもよい。ワイヤレスデバイス1605は、受信機1610と、基地局DL制御マネージャ1615と、送信機1620とを含み得る。ワイヤレスデバイス1605はまた、プロセッサを含み得る。これらの構成要素の各々は、(たとえば、1つまたは複数のバスを介して)互いに通信していてもよい。
【０１１２】
受信機1610は、パケット、ユーザデータ、または様々な情報チャネルに関連付けられた制御情報(たとえば、制御チャネル、データチャネル、および低レイテンシ通信のためのダウンリンク制御チャネル構造に関する情報など)などの情報を受信し得る。情報は、デバイスの他の構成要素に渡されてもよい。受信機1610は、図17を参照しながら説明するトランシーバ1735の態様の一例であってよい。
【０１１３】
基地局DL制御マネージャ1615は、図17を参照しながら説明する基地局DL制御マネージャ1715の態様の一例であり得る。
【０１１４】
基地局DL制御マネージャ1615は、システム帯域幅の少なくとも一部に及び、1つのsTTIに割り振られる複数のリソース管理ブロックを識別するリソース管理ブロック構成を示し得る。
【０１１５】
送信機1620は、デバイスの他の構成要素によって生成された信号を送信してもよい。いくつかの例では、送信機1620は、トランシーバモジュールにおいて受信機1610と併置されてよい。たとえば、送信機1620は、図17を参照して説明されるトランシーバ1735の態様の例であってもよい。送信機1620は、単一のアンテナを含み得るか、またはアンテナのセットを含み得る。いくつかの態様では、送信機1620は、複数のリソース管理ブロックのうちの1つのリソース管理ブロックの自蔵式サブセットであるリソースブロックセット内のsTTIに対する制御情報を送信し得る。
【０１１６】
上記のように、図16は一例として示されている。他の例が可能であり、図16に関して説明されたものとは異なってよい。
【０１１７】
図17は、本開示の様々な態様による、低レイテンシ通信のためのダウンリンク制御チャネル構造をサポートするデバイス1705を含むシステム1700の図を示す。デバイス1705は、たとえば、図1を参照して上述された基地局105の構成要素の一例であってよく、またはそれを含んでもよい。デバイス1705は、基地局DL制御マネージャ1715と、プロセッサ1720と、メモリ1725と、ソフトウェア1730と、トランシーバ1735と、アンテナ1740と、ネットワーク通信マネージャ1745と、基地局通信マネージャ1750とを含む、通信を送信および受信するための構成要素を含む、双方向音声およびデータ通信のための構成要素を含み得る。これらの構成要素は、1つまたは複数のバス(たとえば、バス1710)を介して電子通信していてもよい。デバイス1705は、1つまたは複数のUE115とワイヤレスに通信してもよい。
【０１１８】
プロセッサ1720は、インテリジェントハードウェアデバイス(たとえば、汎用プロセッサ、DSP、CPU、マイクロコントローラ、ASIC、FPGA、プログラマブル論理デバイス、個別ゲートまたはトランジスタ論理構成要素、個別ハードウェア構成要素、あるいはそれらの任意の組合せ)を含み得る。場合によっては、プロセッサ1720は、メモリコントローラを使用して、メモリアレイを動作させるように構成されてもよい。他の場合には、メモリコントローラはプロセッサ1720に統合されてもよい。プロセッサ1720は、様々な機能(たとえば、低レイテンシ通信のためのダウンリンク制御チャネル構造をサポートする機能またはタスク)を実行するためにメモリに記憶されたコンピュータ可読命令を実行するように構成され得る。
【０１１９】
メモリ1725は、RAMおよびROMを含んでもよい。メモリ1725は、実行されると、本明細書で説明する様々な機能をプロセッサに実行させる命令を含む、コンピュータ可読コンピュータ実行可能ソフトウェア1730を記憶し得る。いくつかの場合には、メモリ1725は、特に、周辺構成要素またはデバイスとの相互作用など、基本的ハードウェアおよび/またはソフトウェア動作を制御し得るBIOSを含んでいることがある。
【０１２０】
ソフトウェア1730は、低レイテンシ通信のためのダウンリンク制御チャネル構造をサポートするためのコードを含む、本開示の態様を実装するためのコードを含み得る。ソフトウェア1730は、システムメモリまたは他のメモリなどの、非一時的コンピュータ可読媒体の中に記憶され得る。場合によっては、ソフトウェア1730は、プロセッサによって直接実行可能でないことがあるが、(たとえば、コンパイルおよび実行されたとき)本明細書で説明する機能をコンピュータに実行させ得る。
【０１２１】
トランシーバ1735は、上で説明されたように、1つまたは複数のアンテナ、有線リンク、またはワイヤレスリンクを介して双方向に通信し得る。たとえば、トランシーバ1735は、ワイヤレストランシーバを表すことがあり、別のワイヤレストランシーバと双方向に通信し得る。トランシーバ1735はまた、パケットを変調し、変調されたパケットを送信のためにアンテナに提供し、アンテナから受信されたパケットを復調するためのモデムを含み得る。
【０１２２】
場合によっては、ワイヤレスデバイスは単一のアンテナ1740を含んでよい。しかしながら、場合によっては、デバイスは、複数のワイヤレス送信を同時に送信または受信することが可能であり得る2つ以上のアンテナ1740を有してよい。
【０１２３】
ネットワーク通信マネージャ1745は、(たとえば、1つまたは複数のワイヤードバックホールリンクを介して)コアネットワークとの通信を管理してもよい。たとえば、ネットワーク通信マネージャ1745は、1つまたは複数のUE115などのクライアントデバイスのためのデータ通信の転送を管理してもよい。
【０１２４】
基地局通信マネージャ1750は、他の基地局105との通信を管理してもよく、他の基地局105と協調してUE115との通信を制御するためのコントローラまたはスケジューラを含んでもよい。たとえば、基地局通信マネージャ1750は、ビームフォーミングまたはジョイント送信などの様々な干渉軽減技法のために、UE115への送信のためのスケジューリングを調整してもよい。いくつかの例では、基地局通信マネージャ1750は、基地局105間の通信を実現するために、ロングタームエボリューション(LTE)/LTE-Aワイヤレス通信ネットワーク技術内のX2インターフェースを提供することができる。
【０１２５】
上記のように、図17は一例として示されている。他の例が可能であり、図17に関して説明されたものとは異なってよい。
【０１２６】
図18は、本開示の様々な態様による、低レイテンシ通信のためのダウンリンク制御チャネル構造のための方法1800を示すフローチャートを示す。方法1800の動作は、本明細書で説明したように、UE115またはその構成要素によって実施されてもよい。たとえば、方法1800の動作は、図13〜図15を参照して説明されるようなUE DL制御マネージャによって実行され得る。いくつかの例では、UE115は、以下で説明する機能を実行するためにUE115の機能要素を制御するようにコードのセットを実行し得る。追加または代替として、UE115は、専用ハードウェアを使用して以下で説明する機能の態様を実行し得る。
【０１２７】
ブロック1805において、UE115は、基地局によって示されるリソース管理ブロック構成に少なくとも部分的に基づいてリソース管理ブロックを識別してもよく、リソース管理ブロックは、sTTI内のシステム帯域幅の一部に及ぶ。ブロック1805の動作は、図1〜図12を参照しながら説明された方法に従って実行され得る。いくつかの例では、ブロック1805の動作の態様は、図13〜図15を参照して説明されるような1つまたは複数の構成要素によって実行され得る。いくつかの態様では、リソース管理ブロックは、隣接リソースブロックグループのセットを含む。いくつかの態様では、リソース管理ブロックは、非隣接リソースブロックグループのセットを含む。
【０１２８】
ブロック1810において、UE115は、リソース管理ブロックの自蔵式サブセットであるリソースブロックセットを識別してもよく、リソースブロックセットは、sTTIに対するUEのための制御情報を有する制御領域を含む。ブロック1810の動作は、図1〜図12を参照しながら説明された方法に従って実施され得る。いくつかの例では、ブロック1810の動作の態様は、図13〜図15を参照して説明されるような1つまたは複数の構成要素によって実行され得る。いくつかの態様では、リソースブロックセットは、隣接リソース要素グループのセットである。いくつかの態様では、リソースブロックセットは、非隣接リソース要素グループのセットである。
【０１２９】
いくつかの態様では、リソースブロックセットはセル固有であり、リソースブロックセットのために使用されるシンボルの数はセル固有である。いくつかの態様では、リソースブロックセットは、復調基準信号(DMRS)ベースの基準信号復調方式またはセル固有の基準信号(CRS)ベースの基準信号復調方式で構成される。いくつかの態様では、リソースブロックセットは、少なくとも部分的に、リソースブロックセットと異なる基準信号復調方式を使用する別のリソースブロックセットと重複する。いくつかの態様では、リソースブロックセットは、リソースブロックセットと異なる基準信号復調方式を使用する別のリソースブロックセットと重複しない。
【０１３０】
ブロック1815において、UE115は、制御情報を使用して、少なくとも部分的にsTTIのデータ領域内にある、UE115に宛てられたコンテンツの位置を特定し得る。ブロック1815の動作は、図1〜図12を参照しながら説明された方法に従って実施され得る。いくつかの例では、ブロック1815の動作の態様は、図13〜図15を参照して説明されるような1つまたは複数の構成要素によって実行され得る。
【０１３１】
プロセス1800は、以下で、および/または本明細書で説明する1つまたは複数の他のプロセスに関連して説明する、任意の単一の態様または複数の態様の任意の組合せなどの追加の態様を含み得る。
【０１３２】
いくつかの態様では、セル固有の基準信号(CRS)通信は、マルチキャストブロードキャスト単一周波数通信用に構成されるサブフレーム内で無効にされ、これらのサブフレーム内の制御領域およびデータ領域の復調は、復調基準信号(DMRS)ベースの基準信号復調方式に少なくとも部分的に基づく。
【０１３３】
いくつかの態様では、リソースブロックセットの制御領域は、復調基準信号(DMRS)ベースの基準信号復調方式またはセル固有の基準信号(CRS)ベースの基準信号復調方式で構成され、sTTIは3つのシンボルを含み、データ領域はDMRSベースの基準信号復調方式で構成され、第1の2つのシンボルからの1つまたは複数のDMRS信号はデータ領域内のデータを復調するために使用される。
【０１３４】
いくつかの態様では、リソースブロックセットの制御領域およびsTTIのデータ領域は、復調基準信号(DMRS)ベースの基準信号復調方式で構成され、sTTIは3つのシンボルを含み、第1の2つのシンボルからの1つまたは複数のセル固有の基準信号はデータ領域内のデータを復調するために使用される。
【０１３５】
いくつかの態様では、リソースブロックセットの制御領域およびsTTIのデータ領域は、復調基準信号(DMRS)ベースの基準信号復調方式で構成され、sTTIは3つのシンボルを含み、前のsTTI内のDMRS信号は開ループプリコーディングを使用してデータ領域内のデータを復調するために使用される。
【０１３６】
いくつかの態様では、リソースブロックセットの制御領域は、セル固有の基準信号(CRS)ベースの基準信号復調方式で構成され、sTTIは3つのシンボルを含み、データ領域は復調基準信号(DMRS)ベースの基準信号復調方式で構成され、ブラインド復号がデータ領域内のデータを復調するために使用されるべきDMRS信号を識別するために使用される。
【０１３７】
図18は方法1800の例示的なブロックを示すが、いくつかの実装形態では、方法1800は、追加のブロック、より少数のブロック、異なるブロック、または図18に示されるものとは異なるように配置されたブロックを含んでもよい。追加または代替として、方法1800のブロックのうちの2つ以上が並列に実行されてもよい。
【０１３８】
図19は、本開示の様々な態様による、低レイテンシ通信のためのダウンリンク制御チャネル構造のための方法1900を示すフローチャートを示す。方法1900の動作は、本明細書で説明したように、基地局105またはその構成要素によって実施されてもよい。たとえば、方法1900の動作は、図16および図17を参照して説明されるような基地局DL制御マネージャによって実行され得る。いくつかの例では、基地局105は、以下で説明する機能を実行するために基地局105の機能要素を制御するようにコードのセットを実行し得る。追加または代替として、基地局105は、専用ハードウェアを使用して以下で説明する機能の態様を実行し得る。
【０１３９】
ブロック1905において、基地局105は、システム帯域幅の少なくとも一部に及び、かつ1つのsTTI内に割り振られる複数のリソース管理ブロックを識別するリソース管理ブロック構成を示し得る。ブロック1905の動作は、図1〜図12を参照しながら説明された方法に従って実施され得る。いくつかの例では、ブロック1905の動作の態様は、図16および図17を参照して説明されるような1つまたは複数の構成要素によって実行され得る。
【０１４０】
ブロック1910において、基地局105は、複数のリソース管理ブロックのうちの1つのリソース管理ブロックの自蔵式サブセットであるリソースブロックセット内のsTTIに対する制御情報を送信し得る。ブロック1910の動作は、図1〜図12を参照しながら説明された方法に従って実施され得る。いくつかの例では、ブロック1910の動作の態様は、図16および図17を参照して説明されるような1つまたは複数の構成要素によって実行され得る。
【０１４１】
プロセス1900は、本明細書で説明する1つまたは複数の他のプロセスに関連して説明する、任意の単一の態様または複数の態様の任意の組合せなどの、追加の態様を含み得る。
【０１４２】
図19は方法1900の例示的なブロックを示すが、いくつかの実装形態では、方法1900は、追加のブロック、より少数のブロック、異なるブロック、または図19に示されるものとは異なるように配置されたブロックを含んでもよい。追加または代替として、方法1900のブロックのうちの2つ以上が並列に実行されてもよい。
【０１４３】
図20は、本開示の様々な態様による、低レイテンシ通信のためのダウンリンク制御チャネル構造のための方法2000を示すフローチャートを示す。方法2000の動作は、本明細書で説明したように、UE115またはその構成要素によって実施されてもよい。たとえば、方法2000の動作は、図13〜図15を参照して説明されるようなUE DL制御マネージャによって実行され得る。いくつかの例では、UE115は、以下で説明する機能を実行するためにUE115の機能要素を制御するようにコードのセットを実行し得る。追加または代替として、UE115は、以下で説明する機能を、専用ハードウェアを使用して実行し得る。
【０１４４】
ブロック2005において、UE115は、データ領域および制御領域を含むリソースブロックセットを識別してもよく、リソースブロックセットは短縮送信時間間隔(sTTI)内のシステム帯域幅の一部に及び、sTTIは3つのシンボルを含み、制御領域は3つのシンボルを占有してsTTIに対するUEのための制御情報を含み、制御領域およびデータ領域は周波数分割多重化される。ブロック2005の動作は、図1〜図12を参照しながら説明された方法に従って実施され得る。いくつかの例では、ブロック2005の動作の態様は、図13〜図15を参照して説明されるような1つまたは複数の構成要素によって実行され得る。
【０１４５】
ブロック2010において、UE115は、制御情報に少なくとも部分的に基づいてsTTI内のコンテンツを取得し得る。ブロック2010の動作は、図1〜図12を参照しながら説明された方法に従って実施され得る。いくつかの例では、ブロック2010の動作の態様は、図13〜図15を参照して説明されるような1つまたは複数の構成要素によって実行され得る。
【０１４６】
プロセス2000は、以下で、および/または本明細書で説明する1つまたは複数の他のプロセスに関連して説明する、任意の単一の態様または複数の態様の任意の組合せなどの、追加の態様を含み得る。
【０１４７】
いくつかの態様では、データ領域は3つのシンボルを占有する。いくつかの態様では、制御領域は、ダウンリンク制御情報を含む第1の部分とアップリンク制御情報を含む第2の部分とを含む。いくつかの態様では、第1の部分および第2の部分は周波数分割多重化される。いくつかの態様では、データ領域は、リソースブロックセット内の第1の部分と第2の部分との間に位置する。いくつかの態様では、データ領域は再割振りされたデータ領域である。
【０１４８】
いくつかの態様では、データ領域のために使用されるべき1つまたは複数のリソースは、制御領域内でシグナリングされる。いくつかの態様では、制御領域は、復調基準信号(DMRS)ベースの基準信号復調方式またはセル固有の基準信号(CRS)ベースの基準信号復調方式で構成される。いくつかの態様では、データ領域は、復調基準信号(DMRS)ベースの基準信号復調方式で構成される。いくつかの態様では、3つのシンボルは、第3のシンボルの前に発生する第2のシンボルの前に発生する第1のシンボルを含み、第1のシンボルまたは第2のシンボルのうちの少なくとも1つからの1つまたは複数の復調基準信号(DMRS)信号は、第3のシンボル内の情報を復調するために使用される。
【０１４９】
図20は方法2000の例示的なブロックを示すが、いくつかの実装形態では、方法2000は、追加のブロック、より少数のブロック、異なるブロック、または図20に示されるものとは異なるように配置されたブロックを含んでもよい。追加または代替として、方法2000のブロックのうちの2つ以上が並列に実行されてもよい。
【０１５０】
上述の方法は、可能な実装形態について説明しており、動作およびステップは、再構成されるか、またはさもなければ修正されてもよく、他の実装形態が可能であることに留意されたい。さらに、上記の方法のうちの2つ以上における態様が組み合わされてもよい。
【０１５１】
本明細書で説明する技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなど、様々なワイヤレス通信システムのために使用され得る。「システム」および「ネットワーク」という用語は、しばしば、互換的に使用される。符号分割多元接続(CDMA)システムは、CDMA2000、Universal Terrestrial Radio Access(UTRA)などの無線技術を実装することがある。cdma2000は、IS-2000規格、IS-95規格、およびIS-856規格をカバーする。IS-2000リリースは、通常、CDMA2000 1X、1Xなどと呼ばれることがある。IS-856(TIA-856)は、一般に、CDMA2000 1xEV-DO、High Rate Packet Data(HRPD)などと呼ばれる。UTRAは、広帯域CDMA(WCDMA(登録商標))およびCDMAの他の変形例を含む。時分割多元接続(TDMA)システムは、モバイル通信用グローバルシステム(GSM(登録商標))などの無線技術を実装し得る。
【０１５２】
直交周波数分割多元接続(OFDMA)システムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、Universal Mobile Telecommunications system(UMTS)の一部である。3GPP Long Term Evolution(LTE)およびLTE-Advanced(LTE-A)は、E-UTRAを使用するUniversal Mobile Telecommunications System(UMTS)の新たなリリースである。UTRA、E-UTRA、UMTS、LTE、LTE-A、およびGlobal System for Mobile communications(GSM(登録商標))は、「第3世代パートナーシッププロジェクト」(3GPP)と称する組織からの文書に記載されている。cdma2000およびUMBは、「第3世代パートナーシッププロジェクト2」(3GPP2)と称する団体からの文書に記載されている。本明細書で説明する技法は、上述のシステムおよび無線技術ならびに他のシステムおよび無線技術のために使用され得る。LTEシステムの態様が例として説明されることがあり、説明の大部分においてLTE用語が使用されることがあるが、本明細書で説明される技法はLTE適用例以外に適用可能である。
【０１５３】
本明細書で説明するそのようなネットワークを含むLTE/LTE-Aネットワークでは、発展型ノードB(eNB)という用語は、概して、基地局を表すために使用され得る。本明細書で説明する1つまたは複数のワイヤレス通信システムは、異なるタイプの発展型ノードB(eNB)が様々な地理的領域にカバレッジを与える、異種LTE/LTE-Aネットワークを含み得る。たとえば、各eNBまたは基地局は、マクロセル、スモールセル、または他のタイプのセルに通信カバレッジを提供し得る。「セル」という用語は、文脈に応じて、基地局、基地局に関連付けられるキャリアもしくはコンポーネントキャリア、またはキャリアもしくは基地局のカバレッジエリア(たとえば、セクタなど)を表すために使用され得る。
【０１５４】
基地局は、基地トランシーバ局、無線基地局、アクセスポイント、無線トランシーバ、ノードB、eノードB(eNB)、ホームノードB、ホームeノードB、または何らかの他の好適な用語を含んでよく、またはそのように当業者によって呼ばれることがある。基地局のための地理的カバレッジエリアは、カバレッジエリアの一部分のみを構成するセクタに分割され得る。本明細書で説明した1つまたは複数のワイヤレス通信システムは、異なるタイプの基地局(たとえば、マクロ基地局またはスモールセル基地局)を含んでよい。本明細書で説明したUEは、マクロeNB、スモールセルeNB、中継基地局などを含む、様々なタイプの基地局およびネットワーク機器と通信することが可能であり得る。異なる技術のための重複する地理的カバレッジエリアがあってよい。
【０１５５】
マクロセルは、一般に、比較的大きい地理的エリア(たとえば、半径数キロメートル)をカバーし、ネットワークプロバイダのサービスに加入しているUEによる無制限アクセスを可能にしてもよい。スモールセルは、マクロセルと比較して、同じまたは異なる(たとえば、認可、無認可などの)周波数帯域内でマクロセルとして動作する場合がある低電力基地局である。スモールセルは、様々な例によれば、ピコセル、フェムトセル、およびマイクロセルを含む場合がある。ピコセルは、たとえば、小さい地理的エリアをカバーしてもよく、ネットワークプロバイダのサービスに加入しているUEによる無制限アクセスを可能にしてもよい。フェムトセルも、小さい地理的エリア(たとえば、自宅)をカバーし得、フェムトセルとの関連付けを有するUE(たとえば、限定加入者グループ(CSG:Closed Subscriber Group)の中のUE、自宅の中のユーザ用のUEなど)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートすることがある。UEは、マクロeNB、スモールセルeNB、中継基地局などを含む様々なタイプの基地局、およびネットワーク機器と通信することが可能であってもよい。
【０１５６】
本明細書で説明された1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有する場合があり、異なる基地局からの送信は、時間的に整合されない場合がある。本明細書に記載された技法は、同期動作または非同期動作のいずれに使用されてもよい。
【０１５７】
本明細書で説明するダウンリンク送信は順方向リンク送信と呼ばれることもあり、アップリンク送信は逆方向リンク送信と呼ばれることもある。たとえば、図1および図2のワイヤレス通信システム100および200を含む、本明細書で説明する各通信リンクは、1つまたは複数のキャリアを含んでもよく、各キャリアは、複数のサブキャリア(たとえば、異なる周波数の波形信号)から構成される信号であってもよい。
【０１５８】
添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示として役立つ」ことを意味し、「好ましい」または「他の例よりも有利な」を意味するものではない。発明を実施するための形態は、説明した技法の理解をもたらすための具体的な詳細を含む。しかしながら、これらの技法は、これらの具体的な詳細を伴うことなく実践されてもよい。いくつかの事例では、記載された例の概念を不明瞭にすることを回避するために、よく知られている構造およびデバイスがブロック図の形態で示されている。
【０１５９】
添付の図面において、類似の構成要素または特徴は、同じ参照符号を有することができる。さらに、同じタイプの様々な構成要素は、類似の構成要素を区別するダッシュおよび第2の符号を参照符号に続けることによって区別され得る。本明細書において第1の参照ラベルのみが使用される場合、説明は、第2の参照ラベルにかかわらず、同じ第1の参照ラベルを有する同様の構成要素のいずれにも適用可能である。
【０１６０】
本明細書で説明する情報および信号は、多種多様な技術および技法のいずれかを使用して表されてもよい。たとえば、上記の説明全体にわたって言及される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０１６１】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０１６２】
本明細書に記載された機能は、ハードウェア、プロセッサによって実行されるソフトウェア、ファームウェア、またはそれらの任意の組合せに実装されてもよい。プロセッサによって実行されるソフトウェアに実装される場合、機能は、1つまたは複数の命令またはコードとして、コンピュータ可読媒体上に記憶されるか、またはコンピュータ可読媒体を介して送信されてもよい。他の例および実装形態は、本開示および添付の特許請求の範囲の範囲内に入る。たとえば、ソフトウェアの性質に起因して、上述された機能は、プロセッサ、ハードウェア、ファームウェア、ハードワイヤリング、またはこれらのうちのいずれかの組合せによって実行されるソフトウェアを使用して実装され得る。機能を実装する特徴はまた、様々な物理的位置に機能の一部が実装されるように分散されることを含めて、様々な位置に物理的に配置されてもよい。また、特許請求の範囲内を含めて本明細書で使用する、項目のリスト(たとえば、「のうちの少なくとも1つ」または「のうちの1つまたは複数」などの句が後置される項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」と記載された例示的なステップは、本開示の範囲から逸脱することなく、条件Aと条件Bの両方に基づいてもよい。言い換えれば、本明細書で使用する「に基づいて」という句は、「に少なくとも部分的に基づいて」という句と同じように解釈されるべきである。
【０１６３】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスできる任意の利用可能な媒体であってもよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され得、汎用コンピュータもしくは専用コンピュータまたは汎用プロセッサもしくは専用プロセッサによってアクセスされ得る任意の他の非一時的媒体を備え得る。また、任意の接続が、適正にコンピュータ可読媒体と呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線(DSL)、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)、およびブルーレイディスク(disc)を含み、ディスク(disk)は、通常、データを磁気的に再生し、ディスク(disc)は、データをレーザーで光学的に再生する。上記の組合せもコンピュータ可読媒体の範囲内に含まれる。
【０１６４】
本明細書での説明は、当業者が本開示を作成または使用することを可能にするために提供される。本開示に対する様々な修正は、当業者に容易に明らかになり、本明細書で定義された一般原理は、本開示の範囲から逸脱することなく他の変形形態に適用され得る。したがって、本開示は、本明細書で説明される例および設計に限定されず、本明細書で開示された原理および新規の特徴と一致する最も広い範囲を与えられるべきである。
【０１６５】
当業者にとって周知の、または後に周知となる、本開示全体を通じて説明された種々の態様の要素に対するすべての構造的および機能的均等物が、参照により本明細書に明白に組み込まれ、特許請求の範囲によって包含されることが意図される。さらに、本明細書に開示されたものはいずれも、そのような開示が特許請求の範囲において明示的に列挙されているか否かにかかわらず、公に捧げられることを意図するものではない。「モジュール」、「機構」、「要素」、「デバイス」、「構成要素」などの単語は、「手段」という単語の代用ではない場合がある。したがって、いかなるクレーム要素も、その要素が「のための手段」という語句を使用して明確に列挙されていない限り、ミーンズプラスファンクションとして解釈されるべきではない。
【符号の説明】
【０１６６】
100  ワイヤレス通信システム
105  基地局
105-a  基地局
110  地理的カバレッジエリア
115  ユーザ機器(UE)
115-a  UE
125  通信リンク
130  コアネットワーク
132  バックホールリンク
134  バックホールリンク
200  ワイヤレス通信システム
205  非低レイテンシ通信
210  低レイテンシ通信
300  リソース割振り図
305  システム帯域幅
310  短縮送信時間間隔(sTTI)
315  sTTI
320  リソース管理ブロック
325  リソース管理ブロック
330  物理ダウンリンク制御チャネル(PDCCH)
335  短縮物理ダウンリンク制御チャネル(sPDCCH)
340  短縮物理ダウンリンク共有チャネル(sPDSCH)
345  sPDCCH
350  sPDSCH
355  sPDSCH
360  物理ダウンリンク共有チャネル(PDSCH)
365  sPDCCH
370  sPDSCH
375  狭帯域モノのインターネット(NB-IOT)送信
380  割り振られない領域
385  割り振られない領域
400  リソース割振り図
405  システム帯域幅
410  sTTI
415  リソース管理ブロック
420  リソース管理ブロック
425  リソース管理ブロック
430  リソース管理ブロック
435  ダウンリンクグラント
440  sPDCCH
445  sPDSCH
450  sPDSCH
455  第2のダウンリンクグラント
460  sPDCCH
465  sPDSCH
470  sPDSCH
475  リソースブロック(RB)セット
480  リソースブロックセット
501  リソース割振り図
502  リソース割振り図
505  リソース管理ブロック
505-a  リソース管理ブロック
510  sTTI
510-a  sTTI
515  sPDCCH
515-a  sPDCCH
520  ダウンリンクグラント
520-a  ダウンリンクグラント
525  sPDSCH
525-a  sPDSCH
530  アップリンクグラント
530-a  アップリンクグラント
535  アップリンクグラント
535-a  アップリンクグラント
540  アップリンクグラント
540-a  アップリンクグラント
545  再割振りされるsPDSCH
550  リソースブロックセット
600  アップリンク探索空間
605  sPDCCH制御領域の境界
610  第1のアグリゲーションレベル
615  第2のアグリゲーションレベル
620  第3のアグリゲーションレベル
625  第4のアグリゲーションレベル
630  
635  
640  
645  アップリンクグラント
650  
655  アップリンクグラント
660  
665  
670  
675  
680  
685  PDCCH制御領域の領域
690  ダウンリンクグラント
695  位置
700  リソース構造
705  サブフレーム
710  sTTI
715  シンボル
720  短縮制御チャネル要素(sCCE)
725  sREG
730  リソース要素
735  リソースブロックセット
800  リソース構造
805  第1のリソース管理ブロック
810  第2のリソース管理ブロック
815  第3のリソース管理ブロック
820  第1のRBGのセット
825  第2のRBGのセット
830  第3のRBGのセット
835  リソース管理ブロック
900  リソース構造
905  リソース管理ブロック
910  RBセット
915  RBG
920  RBG
1000  リソース構造
1005  sTTI
1010  第1のシンボル
1015  第2のシンボル
1020  第3のシンボル
1025  RBセット
1030  第1の部分
1035  ダウンリンク制御情報
1040  第2の部分
1045  アップリンク制御情報
1050  再割振りされたsPDSCH部分
1100  リソース構造
1105  sTTI
1110  第1のシンボル
1115  第2のシンボル
1120  第3のシンボル
1125  RBセット
1130  第1の部分
1135  ダウンリンク制御情報
1140  再割振りされたsPDSCH部分
1145  第2の部分
1150  アップリンク制御情報
1200  リソース構造
1205  sTTI
1210  第1のシンボル
1215  第2のシンボル
1220  第3のシンボル
1225  RB
1300  ブロック図
1305  ワイヤレスデバイス
1310  受信機
1315  UEダウンリンク(DL)制御マネージャ
1320  送信機
1400  ブロック図
1405  ワイヤレスデバイス
1410  受信機
1415  UE DL制御マネージャ
1420  送信機
1425  リソース管理ブロック(RMB)識別構成要素
1430  RBセット識別構成要素
1435  制御情報使用構成要素
1500  システム
1505  デバイス
1510  バス
1515  UE DL制御マネージャ
1520  プロセッサ
1525  メモリ
1530  ソフトウェア
1535  トランシーバ
1540  アンテナ
1545  I/Oコントローラ
1600  ブロック図
1605  ワイヤレスデバイス
1610  受信機
1615  基地局DL制御マネージャ
1620  送信機
1700  システム
1705  デバイス
1710  バス
1715  基地局DL制御マネージャ
1720  プロセッサ
1725  メモリ
1730  ソフトウェア
1735  トランシーバ
1740  アンテナ
1745  ネットワーク通信マネージャ
1750  基地局通信マネージャ
【図１】
2020519112.tif 000003
【図２】
2020519112.tif 000004
【図３】
2020519112.tif 000005
【図４】
2020519112.tif 000006
【図５Ａ】
2020519112.tif 000007
【図５Ｂ】
2020519112.tif 000008
【図６】
2020519112.tif 000009
【図７】
2020519112.tif 000010
【図８Ａ】
2020519112.tif 000011
【図８Ｂ】
2020519112.tif 000012
【図９】
2020519112.tif 000013
【図１０】
2020519112.tif 000014
【図１１】
2020519112.tif 000015
【図１２】
2020519112.tif 000016
【図１３】
2020519112.tif 000017
【図１４】
2020519112.tif 000018
【図１５】
2020519112.tif 000019
【図１６】
2020519112.tif 000020
【図１７】
2020519112.tif 000021
【図１８】
2020519112.tif 000022
【図１９】
2020519112.tif 000023
【図２０】
2020519112.tif 000024
【国際調査報告】
2020519112.tif 000025
2020519112.tif 000026